(57)【要約】  【課題】  主基板と図柄表示基板との間で通信エラー状態が発生したときには、図柄表示装置に通信エラーの表示を行うことができ、通信エラー状態が解消したときには、正常な画面に自動的に復帰することができる遊技機を実現する。  【解決手段】  主基板４１のＣＰＵ５１から図柄表示基板４４のサブＣＰＵ１０３が受信したコマンドデータが、正常でないコマンドデータと判断された場合には、周辺機器用Ｉ／Ｏコントローラ１１０を介して図柄検査装置へ通信エラーを示す図柄に関する情報が出力される。サブＣＰＵ１０３は、受信した通信エラーとなるコマンドデータをメインＣＰＵ１００に送信するが、この通信エラーとなるコマンドデータがメインＣＰＵ１００でも正常でない通信エラーとなるコマンドデータと判断された場合には、メインＣＰＵ１００は特別図柄表示装置８の液晶１２１に「通信エラー」と書かれた画面を表示する。【選択図】  図７
2004249131.tif 000002
【特許請求の範囲】
【請求項１】
遊技機の主制御を司る主基板と図柄表示装置を制御する図柄表示基板とを各々独立して設けた遊技機であって、
前記図柄表示基板には、前記主基板との通信エラー発生か否かを判断する通信エラー発生判断手段と、
当該通信エラー発生判断手段の判断結果に基づいて、前記図柄表示装置を制御する第一の制御手段と
を備えたことを特徴とする遊技機。
【請求項２】
前記図柄表示基板には、主基板との通信エラーが解消されたか否かを判断する通信エラー解除判断手段が設けられ、当該通信エラー解除判断手段により通信エラー状態が解消されたと判断された場合に、前記第一の制御手段は、前記図柄表示装置の表示を正常な状態に戻すことを特徴とする請求項１に記載の遊技機。
【発明の詳細な説明】
【技術分野】
【０００１】
本発明はパチンコ機等の遊技機に関するものであり、詳細には、遊技機の主制御を司る主基板と図柄表示装置を制御する図柄表示基板とを各々独立して設けた遊技機であって、当該図柄表示基板に図柄表示装置を制御する第一の制御手段と、当該第一の制御手段との間でデータを送受信し且つ前記主基板からのデータを受信する第二の制御手段を備えた遊技機に関する。
【背景技術】
【０００２】
従来、遊技機の一種であるパチンコ機では、遊技機の主制御を司る主基板を設け、この主基板によって、遊技機の図柄表示装置の制御、電飾の発光態様の制御、音声発生の制御、及び遊技球の払い出しの制御等を行っていた。しかし、最近、遊技機の基準の変更により、遊技機の主制御を司る主基板以外に、図柄表示装置を制御する図柄表示基板、遊技球の払い出しに関する制御を司る払出制御基板、遊技機の電飾の発光態様を制御する電飾基板、遊技機の音声発生を制御する音基板等を各々独立して設けた遊技機も見られるようになってきた。
【０００３】
この新しい基準に準拠した遊技機では、主基板のＣＰＵとは独立して、図柄表示基板上にＣＰＵが設けられており、このＣＰＵによって図柄表示装置が制御されるようになっている。最近では、図柄表示装置に表示される図柄の複雑化及び高精細化により、図柄表示基板上に設けられたＣＰＵにも、例えば、３２ビットタイプのＣＰＵ等も使用されるようになってきている。
【発明の開示】
【発明が解決しようとする課題】
【０００４】
しかしながら、この従来の遊技機では、遊技機の基準により、データの送信に関しては、主基板から図柄表示基板への一方通行しか認められていない。従って、図柄表示基板から主基板へのデータの送信ができず、主基板側からは図柄表示基板の状態を判断することは出来なかった。そこで、主基板と図柄表示基板との間で通信エラー状態が発生したときには、図柄表示装置に通信エラーの表示を行うことができ、通信エラー状態が解消したときには、正常な画面に自動的に復帰することができるようにしたいという要望があった。
【０００５】
本発明は、上記課題を解決するためになされたものであり、遊技機の主制御を司る主基板と図柄表示装置を制御する図柄表示基板とを各々独立して設けた遊技機において、主基板と図柄表示基板との間で通信エラー状態が発生したときには、図柄表示装置に通信エラーの表示を行うことができ、通信エラー状態が解消したときには、正常な画面に自動的に復帰することができる遊技機を実現することを目的としている。
【課題を解決するための手段】
【０００６】
上記目的を達成するために、請求項１に係る発明の遊技機は、遊技機の主制御を司る主基板と図柄表示装置を制御する図柄表示基板とを各々独立して設けた遊技機であって、前記図柄表示基板には、前記主基板との通信エラー発生か否かを判断する通信エラー発生判断手段と、当該通信エラー発生判断手段の判断結果に基づいて、前記図柄表示装置を制御する第一の制御手段とを備えている。
【０００７】
この構成の遊技機では、通信エラー発生判断手段が主基板との通信エラー発生か否かを判断し、当該通信エラー発生判断手段の判断結果に基づいて、第一の制御手段が前記図柄表示装置を制御する。
【０００８】
また、請求項２に係る発明の遊技機では、請求項１に記載の遊技機の構成に加えて、前記図柄表示基板には、主基板との通信エラーが解消されたか否かを判断する通信エラー解除判断手段が設けられ、当該通信エラー解除判断手段により通信エラー状態が解消されたと判断された場合に、前記第一の制御手段は、前記図柄表示装置の表示を正常な状態に戻すことを特徴とする構成となっている。
【０００９】
この構成の遊技機では、請求項１に記載の遊技機の作用に加えて、通信エラー解除判断手段が、主基板との通信エラーが解消されたか否かを判断し、当該通信エラー解除判断手段により通信エラー状態が解消されたと判断された場合に、前記第一の制御手段は、前記図柄表示装置の表示を正常な状態に戻すことができる。
【発明の効果】
【００１０】
請求項１に係る発明の遊技機では、通信エラー発生判断手段が主基板との通信エラー発生か否かを判断し、通信エラー発生判断手段の判断結果に基づいて、第一の制御手段が図柄表示装置を制御することができる。従って、通信エラーの発生時には、遊技者に通信エラーであることを報知することができる。
【００１１】
また、請求項２に係る発明の遊技機では、請求項１に記載の遊技機の効果に加えて、通信エラー解除判断手段により通信エラー状態が解消されたと判断された場合に、前記第一の制御手段は、前記図柄表示装置の表示を正常な状態に戻すことができる。従って、通信エラー状態が解消したときには、特別な回復操作をすること無しに、前記図柄表示装置の表示を正常な状態に戻すことができる。
【発明を実施するための最良の形態】
【００１２】
以下、本発明の一実施の形態について図面を参照して説明する。
【００１３】
本発明の一実施の形態であるパチンコ機１についての機械的構成について、図面を参照して説明する。図１はパチンコ機１の正面図である。図１に示すように、パチンコ機１の正面の上半分の部分には、略正方形の遊技盤２が設けられ、遊技盤２には、ガイドレール３で囲まれた略円形の遊技領域４が設けられている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられている。
【００１４】
次に、遊技盤２の機械的構成について図２を参照して説明する。図２はパチンコ機１の遊技盤２の正面図である。遊技盤２には、ガイドレール３で囲まれた略円形の遊技領域４が設けられている。遊技領域４の略中央には、液晶画面を備えた特別図柄表示装置８が設けられている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。
【００１５】
また、特別図柄表示装置８の直下には、特別図柄始動電動役物１５が設けられており、その特別図柄始動電動役物１５の下方には、大入賞口１６が設けられている。さらに、普通図柄始動ゲート１１の下方には、入賞口１９が設けられ、普通図柄始動ゲート１２の下方には、入賞口２０が設けられている。さらに、特別図柄表示装置８の下部には遊技球を暫時載置可能なステージ２１が遊技盤２の表面に対して略垂直に設けられ、特別図柄表示装置８の右肩には遊技球通過口２２が設けられ、特別図柄表示装置８の左肩にも遊技球通過口２３が設けられている。これらの遊技球通過口２２，２３を通過した遊技球が特別図柄表示装置８の内部（ワープゾーン）を通ってステージ２１に現出するようになっている。ステージ２１に現出した遊技球は、ステージ２１の直下に設けられている特別図柄始動電動役物１５に向かって落下するようになっている。
【００１６】
また、特別図柄表示装置８の上方には、普通図柄表示装置２４が設けられており、一桁の数字や一文字のアルファベット等の図柄を表示できるようになっている。さらに、普通図柄表示装置２４の左右には各々２個ずつのＬＥＤから成る特別図柄始動保留部２５が設けられており、特別図柄始動電動役物１５に入賞したいわゆる保留球の数を表示することができる。また、特別図柄表示装置８と普通図柄表示装置２４との間には、４個のＬＥＤから成る普通図柄始動保留部２６が設けられており、この普通図柄始動保留部２６は、普通図柄始動ゲート１１，１２を通過した遊技球のいわゆる保留球数を表示することができる。なお、遊技盤２には、上記以外に、アウト口、種々の電飾ランプ、風車及び多数の障害釘等が設けられている。
【００１７】
次に、特別図柄表示装置８の構造及び表示画面を図３を参照して説明する。図３は、特別図柄表示装置８の正面図である。図３に示すように、特別図柄表示装置８の液晶画面には、第１停止図柄Ｌ１、第２停止図柄Ｌ２、第３停止図柄Ｌ３の３つの特別図柄を横方向に並べて区分表示可能になっている。なお、特別図柄表示装置８は、上記の第１停止図柄Ｌ１、第２停止図柄Ｌ２、第３停止図柄Ｌ３の表示以外に、動画やメッセージ等も表示できるようになっている。なお、特別図柄表示装置８は、液晶表示装置を用いるだけでなく、ＣＲＴ、ＬＥＤ、プラズマディスプレイ等の各種の表示装置を用いることが出来ることは言うまでもない。
【００１８】
上記の第１停止図柄Ｌ１、第２停止図柄Ｌ２、第３停止図柄Ｌ３に各々表示される図柄の一例としては、「一萬」、「二萬」、「三萬」、「四萬」、「五萬」、「六萬」、「七萬」、「八萬」、「九萬」、「白」、「撥」、「中」の１２種類があり、特別図柄始動電動役物１５に遊技球が入賞して、第１停止図柄Ｌ１、第２停止図柄Ｌ２、第３停止図柄Ｌ３の３つの図柄が特定の同じ数字や文字あるいは図柄等で揃った場合（例えば、図３に示す「七萬」が３つ揃った場合）に、大当たりとされる。
【００１９】
また、前記１２図柄の内、「三萬」、「五萬」、「七萬」、「白」、「撥」、「中」を確率変動図柄（特定大当たり図柄）とし、これらの内の何れかの図柄が第１停止図柄Ｌ１、第２停止図柄Ｌ２、第３停止図柄Ｌ３に同じ図柄で揃った場合には、確率変動突入とし、次の大当たりを引く確率を高くするように変更する。大当たりの確率は、一例としては、通常状態では、３１７．６分の１であり、確率変動状態では、６８．１分の１であるが、必ずしもこの値に限られるものではない。なお、「一萬」、「二萬」、「四萬」、「六萬」、「八萬」、「九萬」を非確率変動図柄（非特定大当たり図柄又は通常図柄）とする。
【００２０】
次に、図４を参照して、パチンコ機１の背面の機構について説明する。図４はパチンコ機１の背面図である。図４に示すように、パチンコ機１の背面の下部には、基板ボックス３１が設けられ、基板ボックス３１の上方には、センターカバー３２が設けられている。基板ボックス３１内には、パチンコ機１の主制御を司る主基板４１と、各基板に電源を供給する電源基板４２と、遊技機の音声発生を制御する音基板４３とが設けられている。また、センターカバー３２内には、特別図柄表示装置８を制御する図柄表示基板４４と、遊技球の払い出しの制御を司る払出制御基板４５と、遊技機の電飾の発光態様を制御する電飾基板４６とが設けられている。また、センターカバー３２の下部には、中継基板４７が設けられている。さらに、センターカバー３２の右横には、賞品球払出装置４９が設けられている。
【００２１】
次に、本実施の形態のパチンコ機１の電気的回路構成について図５を参照して説明する。図５は、パチンコ機１の電気的回路構成を示すブロック図である。パチンコ機１の制御部４０は、主基板４１、電源基板４２、音基板４３、図柄表示基板４４、払出制御基板４５、電飾基板４６、中継基板４７から構成され、主基板４１には、プログラムに従って各種の処理を行うＣＰＵユニット５０が設けられている。このＣＰＵユニット５０には、各種の演算処理を行うＣＰＵ５１、フラグやカウンタ値やデータやプログラム等を記憶するＲＡＭ５２と、制御プログラム及び各種の初期値のデータやテーブルデータ等を記憶したＲＯＭ５３とが設けられており、これらは一つのＬＳＩとして一体にモールディングされている。
【００２２】
また、ＣＰＵユニット５０には、割込リセット回路５７が接続され、割込リセット回路５７は、０．００２秒（以下「２ｍｓ」と略す。）毎に、割込信号をＣＰＵ５１に与えるようになっており、ＣＰＵ５１は、ＲＯＭ５３に記憶された制御プログラムに従って、パチンコ機１の制御を行う。なお、ＣＰＵ５１の一例としては、８ビットのＣＰＵが使用されている。
【００２３】
また、主基板４１には、音基板４３、図柄表示基板４４、払出制御基板４５、電飾基板４６、中継基板４７等とデータ信号の送受信を行うＩ／Ｏインターフェース５４が設けられている。このＩ／Ｏインターフェース５４には、図示外の遊技場管理用コンピュータにパチンコ機１の情報を出力する出力ポート５５が接続されている。なお、電源基板４２、音基板４３、図柄表示基板４４、払出制御基板４５及び電飾基板４６にも、各々ＣＰＵ（図示外）が搭載されている。なお、主基板４１はパチンコ機１の主制御を司り、電源基板４２は各基板に直流電流を供給し、音基板４３はパチンコ機１の音声発生を制御し、図柄表示基板４４は特別図柄表示装置８の制御を行い、払出制御基板４５は賞品球払出装置４９の制御を行い、電飾基板４６はパチンコ機１の各電飾の発光態様を制御し、中継基板４７は、各センサーの配線の中継を行っている。
【００２４】
ここで、電飾基板４６には、普通図柄始動保留部２６を構成する普通図柄記憶数表示ＬＥＤ５９、特別図柄始動保留部２５を構成する特別図柄記憶数表示ＬＥＤ６０、その他のＬＥＤ６２及び電飾ランプ６３が接続され、また、図柄表示基板４４には特別図柄表示装置８が接続され、また、音基板４３には、スピーカー４８が接続され、また、払出制御基板４５には、賞品球払出装置４９が接続され、さらに、中継基板４７には、普通図柄表示装置２４、大入賞口開放ソレノイド７０、特別図柄始動電動役物開放ソレノイド７１、特別図柄始動電動役物１５に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、入賞口１９，２０に入賞して図示外の案内通路により入賞球集合部に集められた入賞球を検出する入賞口スイッチ７６とが接続されている。
【００２５】
また、電源基板４２は、主基板４１、音基板４３、図柄表示基板４４、払出制御基板４５、電飾基板４６、中継基板４７に各々接続されて、直流の安定化された電力が供給するようになっている。なお、主基板４１、音基板４３、払出制御基板４５、電飾基板４６、中継基板４７には、直流１２Ｖが供給され、図柄表示基板４４には、直流５Ｖ及び直流１２Ｖが供給されるようになっている。さらに、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖを供給できるようになっている。なお、図５では、特に図示しないが、主基板４１、電源基板４２、音基板４３、図柄表示基板４４、払出制御基板４５、電飾基板４６、中継基板４７は、全て、アースラインで接続されている。
【００２６】
次に、図６を参照して、図柄表示基板４４の構造及び図柄表示基板４４と主基板４１及び特別図柄表示装置８との接続関係について説明する。図６は、図柄表示基板４４の構造及び図柄表示基板４４と主基板４１及び特別図柄表示装置８との接続関係を示すブロック図である。
【００２７】
図６に示すように、図柄表示基板４４には、主基板４１のＩ／Ｏインターフェース５４からバスライン９５を介して送られて来る変動パターン指定コマンドデータ、停止図柄指定コマンドデータ、図柄停止コマンドデータ及び電源投入時（朝一）出目設定コマンドデータ等の各コマンドデータを受信するサブＣＰＵ１０３が設けられている。サブＣＰＵ１０３には、受信した各コマンドデータや各種のデータを一時的に記憶するサブＲＡＭ１０４と、制御プログラム及び各種のデータを記憶したサブＲＯＭ１０５とが接続されている。なお、サブＣＰＵ１０３とサブＲＡＭ１０４とサブＲＯＭ１０５とは、１チップに構成されたものでも良い。
【００２８】
また、図柄表示基板４４には、特別図柄表示装置８の主制御を司るメインＣＰＵ１００が設けられ、サブＣＰＵ１０３からバスライン１０７を通じて図柄表示に関する各コマンドデータがメインＣＰＵ１００に送信され、また、メインＣＰＵ１００からは、バスライン１０８を通じてデータがサブＣＰＵ１０３に送信されるようになっている。さらに、メインＣＰＵ１００には、各コマンドデータや各種のデータを一時的に記憶するメインＲＡＭ１０１と、制御プログラム及び各種のデータを記憶したメインＲＯＭ１０２とが接続されている。そして、メインＣＰＵ１００は、バスライン１０６を介して、特別図柄表示装置８に接続されている。なお、ＣＰＵ５１が特許請求の範囲に記載の発明の構成の第一のＣＰＵに対応し、メインＣＰＵ１００が第二のＣＰＵに対応し、サブＣＰＵ１０３が第三のＣＰＵに対応する。また、メインＣＰＵ１００が特許請求の範囲に記載の発明の構成の第一の制御手段に対応し、サブＣＰＵ１０３が第二の制御手段に対応する。
【００２９】
次に、図７を参照して、図柄表示基板４４の詳細な構造について説明する。図７は、図柄表示基板４４の構成の詳細を示すブロック図である。図６に示す図柄表示基板４４の構造は、ＣＰＵ、ＲＯＭ、ＲＡＭのみを示した概念的なものであるが、詳細には、図７に示すブロック図のように構成されている。すなわち、図柄表示基板４４には、サブＣＰＵ１０３が設けられ、サブＣＰＵ１０３には、受信した各コマンドデータや各種のデータを一時的に記憶するサブＲＡＭ１０４と、制御プログラム及び各種のデータを記憶したサブＲＯＭ１０５とが接続されている。また、サブＣＰＵ１０３にはバスライン９５が接続され、主基板４１から各種のコマンドデータが入力されるようになっている。
【００３０】
さらに、サブＣＰＵ１０３には、周辺機器用Ｉ／Ｏコントローラ１１０がバスライン１１１により接続され、周辺機器用Ｉ／Ｏコントローラ１１０からは、図示外の図柄検査装置へ図柄データが出力できるように、バスライン１１２が接続されている。また、周辺機器用Ｉ／Ｏコントローラ１１０は、低速バス１１３を介して、メインＲＯＭ１０２及びＩ／Ｏコントローラ１１４と接続されている。また、メインＣＰＵ１００は、高速バス１１５を介して、Ｉ／Ｏコントローラ１１４及び描画を行うグラフィックエンジン１１６と接続されている。さらに、サブＣＰＵ１０３は、バスライン１１７を介してＩ／Ｏコントローラ１１４と接続され、Ｉ／Ｏコントローラ１１４は、バスライン１１８を介してグラフィックエンジン１１６と接続され、メインＣＰＵ１００は、バスライン１１９を介してグラフィックエンジン１１６と接続されている。
【００３１】
また、グラフィックエンジン１１６には、メインＲＡＭ１０１が接続されている。さらに、グラフィックエンジン１１６は、バスライン１０６を介して、液晶コントローラ１２０に接続され、液晶コントローラ１２０は、特別図柄表示装置８の液晶１２１に接続されている。また、液晶コントローラ１２０は、バスライン１２２を介して周辺機器用Ｉ／Ｏコントローラ１１０に接続されている。なお、一例として、サブＣＰＵ１０３は、８ビットのＣＰＵが使用され、メインＣＰＵ１００は、３２ビットのＣＰＵが使用されている。但し、ＣＰＵのビット数は、これらに限られず、例えば、サブＣＰＵ１０３に１６ビットを用い、メインＣＰＵ１００に６４ビットのものを使用してもよい。
【００３２】
ここで、本実施の形態のパチンコ機１では、 特別図柄表示装置８の制御に関しては、主基板４１のＣＰＵ５１が、グラフィックエンジン１１６を制御する描画用のデータを送信するのではなく、ＣＰＵ５１からは、図柄表示基板４４のサブＣＰＵ１０３に、変動パターン指定コマンドデータ、停止図柄指定コマンドデータ、図柄停止コマンドデータ及び電源投入時（朝一）出目設定コマンドデータ等の図柄表示に関する各コマンドデータを送信し、これらの各コマンドデータは一旦、図柄表示基板４４のサブＲＡＭ１０４に記憶される。
【００３３】
そして、サブＣＰＵ１０３が、サブＲＡＭ１０４に記憶している受信した変動パターン指定コマンドデータ、停止図柄指定コマンドデータ、図柄停止コマンドデータ、及び電源投入時（朝一）出目設定コマンドデータ等の図柄表示に関する各コマンドデータ等を解析して、周辺機器用Ｉ／Ｏコントローラ１１０を介して図示外の図柄検査装置に後述する図柄に関する情報を出力し、図柄表示基板４４のメインＣＰＵ１００には、サブＲＡＭ１０４に記憶されている第１停止図柄Ｌ１、第２停止図柄Ｌ２、第３停止図柄Ｌ３に表示される図柄の変動パターン指定コマンドデータ、停止図柄指定コマンドデータ、図柄停止コマンドデータ、及び電源投入時（朝一）出目設定コマンドデータ等の各コマンドデータを送信し、メインＣＰＵ１００はそのデータに基づいて、グラフィックエンジン１１６を制御して、グラフィックエンジン１１６は、具体的な描画データを液晶コントローラ１２０に送り、液晶１２１にその図柄が表示されるように構成されている。すなわち、本実施の形態のパチンコ機１は、所謂ブラックボックス対応機である。
【００３４】
次に、本実施の形態のパチンコ機１の図柄表示基板４４のサブＣＰＵ１０３がメインＣＰＵ１００に送信する各コマンドデータについて説明する。各コマンドデータは、１コマンドが１バイトからなる先行コマンドデータと同じく１コマンドが１バイトからなる後続コマンドデータの２つの組み合わせの２バイトから構成されている。各コマンドデータは、先行コマンドデータと後続コマンドデータとを合わせて１コマンドが１バイトから構成されるようにしても良い。各コマンドデータを、１コマンドが１バイトから構成されるようにすれば、コマンドデータの送受信の時間を短縮できるという利点がある。  
【００３５】
まず、図柄表示基板４４のサブＣＰＵ１０３がメインＣＰＵ１００に送信する変動パターン指定コマンドデータについて説明する。変動パターン指定コマンドデータは、「変動パターン１指定」から「変動パターン２５指定」までの２５種類があり、この変動パターン指定コマンドデータは、主基板４１のＲＯＭ５３に記憶され、図柄表示基板４４に送信された場合には、図柄表示基板４４のサブＲＡＭ１０４に一時的に記憶される。ここで、変動パターン１指定では、先行コマンドデータが「８０Ｈ」、後続コマンドデータが「０１Ｈ」であり、変動パターン２指定では、先行コマンドデータが「８０Ｈ」、後続コマンドデータが「０２Ｈ」であり、変動パターン３指定では、先行コマンドデータが「８０Ｈ」、後続コマンドデータが「０３Ｈ」であり、変動パターン４指定では、先行コマンドデータが「８０Ｈ」、後続コマンドデータが「０４Ｈ」であり、変動パターン５指定では、先行コマンドデータが「８０Ｈ」、後続コマンドデータが「０５Ｈ」である。
【００３６】
また、変動パターン６指定では、先行コマンドデータが「８０Ｈ」、後続コマンドデータが「０６Ｈ」であり、変動パターン７指定では、先行コマンドデータが「８０Ｈ」、後続コマンドデータが「０７Ｈ」であり、変動パターン８指定では、先行コマンドデータが「８０Ｈ」、後続コマンドデータが「０８Ｈ」であり、変動パターン９指定では、先行コマンドデータが「８０Ｈ」、後続コマンドデータが「０９Ｈ」であり、変動パターン１０指定では、先行コマンドデータが「８０Ｈ」、後続コマンドデータが「０ＡＨ」である。
【００３７】
変動パターン１１指定では、先行コマンドデータが「８０Ｈ」、後続コマンドデータが「０ＢＨ」であり、変動パターン１２指定では、先行コマンドデータが「８０Ｈ」、後続コマンドデータが「０ＣＨ」であり、変動パターン１３指定では、先行コマンドデータが「８０Ｈ」、後続コマンドデータが「０ＤＨ」であり、変動パターン１４指定では、先行コマンドデータが「８０Ｈ」、後続コマンドデータが「０ＥＨ」であり、変動パターン１５指定では、先行コマンドデータが「８０Ｈ」、後続コマンドデータが「０ＦＨ」である。
【００３８】
変動パターン１６指定では、先行コマンドデータが「８０Ｈ」、後続コマンドデータが「１０Ｈ」であり、変動パターン１７指定では、先行コマンドデータが「８０Ｈ」、後続コマンドデータが「１１Ｈ」であり、変動パターン１８指定では、先行コマンドデータが「８０Ｈ」、後続コマンドデータが「１２Ｈ」であり、変動パターン１９指定では、先行コマンドデータが「８０Ｈ」、後続コマンドデータが「１３Ｈ」であり、変動パターン１９指定では、先行コマンドデータが「８０Ｈ」、後続コマンドデータが「１３Ｈ」であり、変動パターン２０指定では、先行コマンドデータが「８０Ｈ」、後続コマンドデータが「１４Ｈ」である。
【００３９】
変動パターン２１指定では、先行コマンドデータが「８０Ｈ」、後続コマンドデータが「１５Ｈ」であり、変動パターン２２指定では、先行コマンドデータが「８０Ｈ」、後続コマンドデータが「１６Ｈ」であり、変動パターン２３指定では、先行コマンドデータが「８０Ｈ」、後続コマンドデータが「１７Ｈ」であり、変動パターン２４指定では、先行コマンドデータが「８０Ｈ」、後続コマンドデータが「１８Ｈ」であり、変動パターン２５指定では、先行コマンドデータが「８０Ｈ」、後続コマンドデータが「１９Ｈ」である。
【００４０】
次に、上記各変動パターンが特別図柄表示装置８の液晶１２１にどのように表示されるかを説明する。変動パターン１指定では、第１停止図柄Ｌ１、第２停止図柄Ｌ２、第３停止図柄Ｌ３の全図柄が変動を開始し、５１００ｍｓ後に、後述する各停止図柄指定コマンドデータで指定された停止図柄で停止するように調整し、キャラクタの出現はなく、昼の背景を表示する。また、変動パターン２指定では、第１停止図柄Ｌ１、第２停止図柄Ｌ２、第３停止図柄Ｌ３の全図柄が変動を開始し、８０００ｍｓ後に、後述する各停止図柄指定コマンドデータで指定された停止図柄で停止するように調整し、キャラクタの出現はなく、昼の背景を表示する。また、変動パターン３指定では、第１停止図柄Ｌ１、第２停止図柄Ｌ２、第３停止図柄Ｌ３の全図柄が変動を開始し、１５０００ｍｓ後に、後述する各停止図柄指定コマンドデータで指定された停止図柄で停止するように調整し、男の子のキャラクタが１回出現し、昼の背景を表示し、「リーチ！」の文字を表示する。
【００４１】
また、変動パターン４指定では、第１停止図柄Ｌ１、第２停止図柄Ｌ２、第３停止図柄Ｌ３の全図柄が変動を開始し、２１０００ｍｓ後に、後述する各停止図柄指定コマンドデータで指定された停止図柄で停止するように調整し、おじいさんが出現し、昼の背景及び寺の背景を表示し、「リーチ！」及び「ガハッ」の文字を表示する。また、変動パターン５指定では、第１停止図柄Ｌ１、第２停止図柄Ｌ２、第３停止図柄Ｌ３の全図柄が変動を開始し、２４０００ｍｓ後に、後述する各停止図柄指定コマンドデータで指定された停止図柄で停止するように調整し、キャラクタの出現はなく、昼の背景及び夜の背景を表示する。また、変動パターン６指定では、第１停止図柄Ｌ１、第２停止図柄Ｌ２、第３停止図柄Ｌ３の全図柄が変動を開始し、２５０００ｍｓ後に、後述する各停止図柄指定コマンドデータで指定された停止図柄で停止するように調整し、男の子が１回又は２回出現し、昼の背景及び月の背景を表示し、「リーチ！」及び「チィッ」の文字を表示する。
【００４２】
また、変動パターン７指定では、第１停止図柄Ｌ１、第２停止図柄Ｌ２、第３停止図柄Ｌ３の全図柄が変動を開始し、２６０００ｍｓ後に、後述する各停止図柄指定コマンドデータで指定された停止図柄で停止するように調整し、キャラクタの出現はなく、昼の背景、夜の背景及び光の背景を表示する。また、変動パターン８指定では、第１停止図柄Ｌ１、第２停止図柄Ｌ２、第３停止図柄Ｌ３の全図柄が変動を開始し、２７０００ｍｓ後に、後述する各停止図柄指定コマンドデータで指定された停止図柄で停止するように調整し、おじいさんが１回又は２回出現し、昼の背景、寺の背景、及び空の背景を表示し、「リーチ！」及び「ガハッ」の文字を表示する。また、変動パターン９指定では、第１停止図柄Ｌ１、第２停止図柄Ｌ２、第３停止図柄Ｌ３の全図柄が変動を開始し、２８０００ｍｓ後に、後述する各停止図柄指定コマンドデータで指定された停止図柄で停止するように調整し、おじいさんが１回又は２回出現し、昼の背景、寺の背景及び空の背景を表示し、「リーチ！」及び「ガハッ」の文字を表示する。
【００４３】
また、変動パターン１０指定では、第１停止図柄Ｌ１、第２停止図柄Ｌ２、第３停止図柄Ｌ３の全図柄が変動を開始し、２９０００ｍｓ後に、後述する各停止図柄指定コマンドデータで指定された停止図柄で停止するように調整し、男の子が１回又は２回出現し、昼の背景及び月の背景を表示し、「リーチ！」及び「チィッ」の文字を表示する。また、変動パターン１１指定では、第１停止図柄Ｌ１、第２停止図柄Ｌ２、第３停止図柄Ｌ３の全図柄が変動を開始し、３００００ｍｓ後に、後述する各停止図柄指定コマンドデータで指定された停止図柄で停止するように調整し、キャラクタの出現はなく、昼の背景、夜の背景及び光の背景を表示する。また、変動パターン１２指定では、第１停止図柄Ｌ１、第２停止図柄Ｌ２、第３停止図柄Ｌ３の全図柄が変動を開始し、３２０００ｍｓ後に、後述する各停止図柄指定コマンドデータで指定された停止図柄で停止するように調整し、キャラクタの出現はなく、昼の背景、夜の背景及び光の背景を表示する。
【００４４】
また、変動パターン１３指定では、第１停止図柄Ｌ１、第２停止図柄Ｌ２、第３停止図柄Ｌ３の全図柄が変動を開始し、３３０００ｍｓ後に、後述する各停止図柄指定コマンドデータで指定された停止図柄で停止するように調整し、女の子が１回又は２回出現し、さらにハエが１回出現する場合があり、昼の背景及び万里の長城の背景を表示し、「リーチ！」及び「ハイ！！」の文字を表示する。また、変動パターン１４指定では、第１停止図柄Ｌ１、第２停止図柄Ｌ２、第３停止図柄Ｌ３の全図柄が変動を開始し、３４０００ｍｓ後に、後述する各停止図柄指定コマンドデータで指定された停止図柄で停止するように調整し、おじいさんが１回又は２回出現し、昼の背景、寺の背景、空の背景及び宇宙の背景を表示し、「リーチ！」及び「ガハッ」の文字を表示する。また、変動パターン１５指定では、第１停止図柄Ｌ１、第２停止図柄Ｌ２、第３停止図柄Ｌ３の全図柄が変動を開始し、３５０００ｍｓ後に、後述する各停止図柄指定コマンドデータで指定された停止図柄で停止するように調整し、キャラクタの出現はなく、昼の背景、夜の背景及び光の背景を表示する。
【００４５】
また、変動パターン１６指定では、第１停止図柄Ｌ１、第２停止図柄Ｌ２、第３停止図柄Ｌ３の全図柄が変動を開始し、３６０００ｍｓ後に、後述する各停止図柄指定コマンドデータで指定された停止図柄で停止するように調整し、女の子が出現し、さらにハエが出現する場合があり、昼の背景及び万里の長城の背景を表示し、「リーチ！」及び「ハイ！！」の文字を表示する。また、変動パターン１７指定では、第１停止図柄Ｌ１、第２停止図柄Ｌ２、第３停止図柄Ｌ３の全図柄が変動を開始し、３７０００ｍｓ後に、後述する各停止図柄指定コマンドデータで指定された停止図柄で停止するように調整し、女の子が１回又は２回出現し、昼の背景及び万里の長城の背景を表示し、「リーチ！」及び「ハイ！！」の文字を表示する。また、変動パターン１８指定では、第１停止図柄Ｌ１、第２停止図柄Ｌ２、第３停止図柄Ｌ３の全図柄が変動を開始し、４００００ｍｓ後に、後述する各停止図柄指定コマンドデータで指定された停止図柄で停止するように調整し、女の子が１回出現し、昼の背景及び万里の長城の背景を表示し、「リーチ！」及び「ハイ！！」の文字を表示する。
【００４６】
また、変動パターン１９指定では、第１停止図柄Ｌ１、第２停止図柄Ｌ２、第３停止図柄Ｌ３の全図柄が変動を開始し、４２０００ｍｓ後に、後述する各停止図柄指定コマンドデータで指定された停止図柄で停止するように調整し、男の子が１回又は２回出現し、さらに、おじいさんが１回出現し、昼の背景、寺の背景、空の背景及び月の背景を表示し、「リーチ！」、「ガハッ」及び「チィッ」の文字を表示する。また、変動パターン２０指定では、第１停止図柄Ｌ１、第２停止図柄Ｌ２、第３停止図柄Ｌ３の全図柄が変動を開始し、４５０００ｍｓ後に、後述する各停止図柄指定コマンドデータで指定された停止図柄で停止するように調整し、ドラゴンが１回出現し、昼の背景、夜の背景及び炎の背景を表示する。また、変動パターン２１指定では、第１停止図柄Ｌ１、第２停止図柄Ｌ２、第３停止図柄Ｌ３の全図柄が変動を開始し、４７０００ｍｓ後に、後述する各停止図柄指定コマンドデータで指定された停止図柄で停止するように調整し、ドラゴンが１回出現し、昼の背景、夜の背景及び炎の背景を表示する。
【００４７】
また、変動パターン２２指定では、第１停止図柄Ｌ１、第２停止図柄Ｌ２、第３停止図柄Ｌ３の全図柄が変動を開始し、４９０００ｍｓ後に、後述する各停止図柄指定コマンドデータで指定された停止図柄で停止するように調整し、ドラゴンが１回出現し、昼の背景、夜の背景及び炎の背景を表示する。また、変動パターン２３指定では、第１停止図柄Ｌ１、第２停止図柄Ｌ２、第３停止図柄Ｌ３の全図柄が変動を開始し、５２０００ｍｓ後に、後述する各停止図柄指定コマンドデータで指定された停止図柄で停止するように調整し、女の子が１回又は２回出現し、さらに、ハエが１回出現し、昼の背景及び万里の長城の背景を表示し、「リーチ！」、「ハイ！！」、「ちょっと待ったぁ！！」、「ＲＥＷ＜＜」、「ＰＬＡＹ＞」の文字を表示する。
【００４８】
また、変動パターン２４指定では、第１停止図柄Ｌ１、第２停止図柄Ｌ２、第３停止図柄Ｌ３の全図柄が変動を開始し、５５０００ｍｓ後に、後述する各停止図柄指定コマンドデータで指定された停止図柄で停止するように調整し、女の子が１回又は２回出現し、さらに、ハエが１回出現し、昼の背景及び万里の長城の背景を表示し、「リーチ！」、「ハイ！！」、「ちょっと待ったぁ！！」、「ＲＥＷ＜＜」、「ＰＬＡＹ＞」の文字を表示する。また、変動パターン２５指定では、第１停止図柄Ｌ１、第２停止図柄Ｌ２、第３停止図柄Ｌ３の全図柄が変動を開始し、５８０００ｍｓ後に、後述する各停止図柄指定コマンドデータで指定された停止図柄で停止するように調整し、女の子が１回出現し、昼の背景及び万里の長城の背景を表示し、「リーチ！」、「ハイ！！」、「ちょっと待ったぁ！！」、「ＲＥＷ＜＜」、「ＰＬＡＹ＞」の文字を表示する。
【００４９】
次に、図柄表示基板４４のサブＣＰＵ１０３がメインＣＰＵ１００に送信する第１停止図柄指定コマンドデータについて説明する。第１停止図柄指定コマンドデータは、「第１停止図柄１指定」から「第１停止図柄１２指定」までの１２種類があり、この第１停止図柄指定コマンドデータは、ＣＰＵ５１から受信したものが図柄表示基板４４のサブＲＡＭ１０４に記憶されている。ここで、第１停止図柄１指定では、先行コマンドデータが「８１Ｈ」、後続コマンドデータが「０１Ｈ」であり、第１停止図柄２指定では、先行コマンドデータが「８１Ｈ」、後続コマンドデータが「０２Ｈ」であり、第１停止図柄３指定では、先行コマンドデータが「８１Ｈ」、後続コマンドデータが「０３Ｈ」であり、第１停止図柄４指定では、先行コマンドデータが「８１Ｈ」、後続コマンドデータが「０４Ｈ」であり、第１停止図柄５指定では、先行コマンドデータが「８１Ｈ」、後続コマンドデータが「０５Ｈ」である。
【００５０】
第１停止図柄６指定では、先行コマンドデータが「８１Ｈ」、後続コマンドデータが「０６Ｈ」であり、第１停止図柄７指定では、先行コマンドデータが「８１Ｈ」、後続コマンドデータが「０７Ｈ」であり、第１停止図柄８指定では、先行コマンドデータが「８１Ｈ」、後続コマンドデータが「０８Ｈ」であり、第１停止図柄９指定では、先行コマンドデータが「８１Ｈ」、後続コマンドデータが「０９Ｈ」であり、第１停止図柄１０指定では、先行コマンドデータが「８１Ｈ」、後続コマンドデータが「０ＡＨ」であり、第１停止図柄１１指定では、先行コマンドデータが「８１Ｈ」、後続コマンドデータが「０ＢＨ」であり、第１停止図柄１２指定では、先行コマンドデータが「８１Ｈ」、後続コマンドデータが「０ＣＨ」である。
【００５１】
次に、上記「第１停止図柄１指定」から「第１停止図柄１２指定」までの１２種類のコマンドデータの指定内容について説明する。第１停止図柄１指定では、第１停止図柄Ｌ１に「一萬」を停止する準備をする。また、第１停止図柄２指定では、第１停止図柄Ｌ１に「二萬」を停止する準備をする。また、第１停止図柄３指定では、第１停止図柄Ｌ１に「三萬」を停止する準備をする。また、第１停止図柄４指定では、第１停止図柄Ｌ１に「四萬」を停止する準備をする。また、第１停止図柄５指定では、第１停止図柄Ｌ１に「五萬」を停止する準備をする。また、第１停止図柄６指定では、第１停止図柄Ｌ１に「六萬」を停止する準備をする。また、第１停止図柄７指定では、第１停止図柄Ｌ１に「七萬」を停止する準備をする。また、第１停止図柄８指定では、第１停止図柄Ｌ１に「八萬」を停止する準備をする。また、第１停止図柄９指定では、第１停止図柄Ｌ１に「九萬」を停止する準備をする。また、第１停止図柄１０指定では、第１停止図柄Ｌ１に「白」を停止する準備をする。また、第１停止図柄１１指定では、第１停止図柄Ｌ１に「撥」を停止する準備をする。また、第１停止図柄１２指定では、第１停止図柄Ｌ１に「中」を停止する準備をする。
【００５２】
次に、図柄表示基板４４のサブＣＰＵ１０３がメインＣＰＵ１００に送信する第２停止図柄指定コマンドデータについて説明する。第２停止図柄指定コマンドデータは、「第２停止図柄１指定」から「第２停止図柄１２指定」までの１２種類があり、この第２停止図柄指定コマンドデータは、ＣＰＵ５１から受信したものが図柄表示基板４４のサブＲＡＭ１０４に記憶されている。ここで、第２停止図柄１指定では、先行コマンドデータが「８２Ｈ」、後続コマンドデータが「０１Ｈ」であり、第２停止図柄２指定では、先行コマンドデータが「８２Ｈ」、後続コマンドデータが「０２Ｈ」であり、第２停止図柄３指定では、先行コマンドデータが「８２Ｈ」、後続コマンドデータが「０３Ｈ」であり、第２停止図柄４指定では、先行コマンドデータが「８２Ｈ」、後続コマンドデータが「０４Ｈ」であり、第２停止図柄５指定では、先行コマンドデータが「８２Ｈ」、後続コマンドデータが「０５Ｈ」である。
【００５３】
第２停止図柄６指定では、先行コマンドデータが「８２Ｈ」、後続コマンドデータが「０６Ｈ」であり、第２停止図柄７指定では、先行コマンドデータが「８２Ｈ」、後続コマンドデータが「０７Ｈ」であり、第２停止図柄８指定では、先行コマンドデータが「８２Ｈ」、後続コマンドデータが「０８Ｈ」であり、第２停止図柄９指定では、先行コマンドデータが「８２Ｈ」、後続コマンドデータが「０９Ｈ」であり、第２停止図柄１０指定では、先行コマンドデータが「８２Ｈ」、後続コマンドデータが「０ＡＨ」であり、第２停止図柄１１指定では、先行コマンドデータが「８２Ｈ」、後続コマンドデータが「０ＢＨ」であり、第２停止図柄１２指定では、先行コマンドデータが「８２Ｈ」、後続コマンドデータが「０ＣＨ」である。
【００５４】
次に、上記「第２停止図柄１指定」から「第２停止図柄１２指定」までの１２種類のコマンドデータの指定内容について説明する。第２停止図柄１指定では、第２停止図柄Ｌ２に「一萬」を停止する準備をする。また、第２停止図柄２指定では、第２停止図柄Ｌ２に「二萬」を停止する準備をする。また、第２停止図柄３指定では、第２停止図柄Ｌ２に「三萬」を停止する準備をする。また、第２停止図柄４指定では、第２停止図柄Ｌ２に「四萬」を停止する準備をする。また、第２停止図柄５指定では、第２停止図柄Ｌ２に「五萬」を停止する準備をする。また、第２停止図柄６指定では、第２停止図柄Ｌ２に「六萬」を停止する準備をする。また、第２停止図柄７指定では、第２停止図柄Ｌ２に「七萬」を停止する準備をする。また、第２停止図柄８指定では、第２停止図柄Ｌ２に「八萬」を停止する準備をする。また、第２停止図柄９指定では、第２停止図柄Ｌ２に「九萬」を停止する準備をする。また、第２停止図柄１０指定では、第２停止図柄Ｌ２に「白」を停止する準備をする。また、第２停止図柄１１指定では、第２停止図柄Ｌ２に「撥」を停止する準備をする。また、第２停止図柄１２指定では、第２停止図柄Ｌ２に「中」を停止する準備をする。
【００５５】
次に、図柄表示基板４４のサブＣＰＵ１０３がメインＣＰＵ１００に送信する第３停止図柄指定コマンドデータについて説明する。第３停止図柄指定コマンドデータは、「第３停止図柄１指定」から「第３停止図柄１２指定」までの１２種類があり、この第３停止図柄指定コマンドデータは、図柄表示基板４４のサブＲＡＭ１０４に記憶されている。ここで、第３停止図柄１指定では、先行コマンドデータが「８３Ｈ」、後続コマンドデータが「０１Ｈ」であり、第３停止図柄２指定では、先行コマンドデータが「８３Ｈ」、後続コマンドデータが「０２Ｈ」であり、第３停止図柄３指定では、先行コマンドデータが「８３Ｈ」、後続コマンドデータが「０３Ｈ」であり、第３停止図柄４指定では、先行コマンドデータが「８３Ｈ」、後続コマンドデータが「０４Ｈ」であり、第３停止図柄５指定では、先行コマンドデータが「８３Ｈ」、後続コマンドデータが「０５Ｈ」である。
【００５６】
第３停止図柄６指定では、先行コマンドデータが「８３Ｈ」、後続コマンドデータが「０６Ｈ」であり、第３停止図柄７指定では、先行コマンドデータが「８３Ｈ」、後続コマンドデータが「０７Ｈ」であり、第３停止図柄８指定では、先行コマンドデータが「８３Ｈ」、後続コマンドデータが「０８Ｈ」であり、第３停止図柄９指定では、先行コマンドデータが「８３Ｈ」、後続コマンドデータが「０９Ｈ」であり、第３停止図柄１０指定では、先行コマンドデータが「８３Ｈ」、後続コマンドデータが「０ＡＨ」であり、第３停止図柄１１指定では、先行コマンドデータが「８３Ｈ」、後続コマンドデータが「０ＢＨ」であり、第３停止図柄１２指定では、先行コマンドデータが「８３Ｈ」、後続コマンドデータが「０ＣＨ」である。
【００５７】
次に、上記「第３停止図柄１指定」から「第３停止図柄１２指定」までの１２種類のコマンドデータの指定内容について説明する。第３停止図柄１指定では、第３停止図柄Ｌ３に「一萬」を停止する準備をする。また、第３停止図柄２指定では、第３停止図柄Ｌ３に「二萬」を停止する準備をする。また、第３停止図柄３指定では、第３停止図柄Ｌ３に「三萬」を停止する準備をする。また、第３停止図柄４指定では、第３停止図柄Ｌ３に「四萬」を停止する準備をする。また、第３停止図柄５指定では、第３停止図柄Ｌ３に「五萬」を停止する準備をする。また、第３停止図柄６指定では、第３停止図柄Ｌ３に「六萬」を停止する準備をする。また、第３停止図柄７指定では、第３停止図柄Ｌ３に「七萬」を停止する準備をする。また、第３停止図柄８指定では、第３停止図柄Ｌ３に「八萬」を停止する準備をする。また、第３停止図柄９指定では、第３停止図柄Ｌ３に「九萬」を停止する準備をする。また、第３停止図柄１０指定では、第３停止図柄Ｌ３に「白」を停止する準備をする。また、第３停止図柄１１指定では、第３停止図柄Ｌ３に「撥」を停止する準備をする。また、第３停止図柄１２指定では、第３停止図柄Ｌ３に「中」を停止する準備をする。
【００５８】
次に、図柄表示基板４４のサブＣＰＵ１０３がメインＣＰＵ１００に送信する図柄停止コマンドデータについて説明する。図柄停止コマンドデータは１種類であり、この図柄停止コマンドデータは、ＣＰＵ５１から受信したものが図柄表示基板４４のサブＲＡＭ１０４に記憶されている。ここで、先行コマンドデータが「８５Ｈ」、後続コマンドデータが「０１Ｈ」である。このデータが、サブＣＰＵ１０３がメインＣＰＵ１００に送信されると第１停止図柄Ｌ１、第２停止図柄Ｌ２、第３停止図柄Ｌ３が上記の第１停止図柄指定コマンドデータ、第２停止図柄指定コマンドデータ、第３停止図柄指定コマンドデータにより指定された停止図柄で停止する。
【００５９】
次に、通信エラーの制御について説明する。主基板４１のＣＰＵ５１から図柄表示基板４４のサブＣＰＵ１０３が受信したコマンドデータが、サブＣＰＵ１０３により、正常でないデータ、すなわち通信エラーとなるコマンドデータと判断された場合には、周辺機器用Ｉ／Ｏコントローラ１１０を介して図示外の図柄検査装置へ通信エラーを示す図柄に関する情報が出力される。また、サブＣＰＵ１０３は、受信した通信エラーとなるコマンドデータをメインＣＰＵ１００にそのまま送信するが、この通信エラーとなるコマンドデータがメインＣＰＵ１００でも正常でないデータすなわち通信エラーとなるコマンドデータと判断された場合には、図１２に示すように、メインＣＰＵ１００は特別図柄表示装置８の液晶１２１に「通信エラー」と書かれた画面を表示する。
【００６０】
また、主基板４１のＣＰＵ５１から図柄表示基板４４のサブＣＰＵ１０３が受信したコマンドデータが、通信エラー解除となる正常な変動パターン指定コマンドデータ又は正常な電源投入時（朝一）出目設定コマンドデータ等の場合には、周辺機器用Ｉ／Ｏコントローラ１１０を介して図示外の図柄検査装置へ通信エラー解除を示す図柄に関する情報が出力される。サブＣＰＵ１０３は、受信した通信エラー解除となるコマンドデータをメインＣＰＵ１００にそのまま送信するが、この通信エラー解除となるコマンドデータがメインＣＰＵ１００でも正常なデータすなわち通信エラー解除となるコマンドデータと判断された場合には、通信エラー画面の表示を終了し、正常な画面の表示に戻す。なお、通信エラーか否かの判断を全てサブＣＰＵ１０３で行うようにしても良い。また、通信エラーか否かの判断を全てメインＣＰＵ１００で行い、メインＣＰＵ１００からサブＣＰＵ１０３に通信エラーを示すコマンドを送信して、サブＣＰＵ１０３から図示外の図柄検査装置に通信エラーを示す図柄に関する情報を出力するようにしても良い。
【００６１】
次に、図柄表示基板４４のサブＣＰＵ１０３がメインＣＰＵ１００に送信する電源投入時第１停止図柄指定コマンドデータについて説明する。電源投入時第１停止図柄指定コマンドデータは、「電源投入時第１停止図柄１指定」から「電源投入時第１停止図柄１２指定」までの１２種類があり、この電源投入時第１停止図柄指定コマンドデータは、図柄表示基板４４のサブＲＡＭ１０４に記憶されている。ここで、電源投入時第１停止図柄１指定では、先行コマンドデータが「８６Ｈ」、後続コマンドデータが「０１Ｈ」であり、電源投入時第１停止図柄２指定では、先行コマンドデータが「８６Ｈ」、後続コマンドデータが「０２Ｈ」であり、電源投入時第１停止図柄３指定では、先行コマンドデータが「８６Ｈ」、後続コマンドデータが「０３Ｈ」であり、電源投入時第１停止図柄４指定では、先行コマンドデータが「８６Ｈ」、後続コマンドデータが「０４Ｈ」であり、電源投入時第１停止図柄５指定では、先行コマンドデータが「８６Ｈ」、後続コマンドデータが「０５Ｈ」である。
【００６２】
電源投入時第１停止図柄６指定では、先行コマンドデータが「８６Ｈ」、後続コマンドデータが「０６Ｈ」であり、電源投入時第１停止図柄７指定では、先行コマンドデータが「８６Ｈ」、後続コマンドデータが「０７Ｈ」であり、電源投入時第１停止図柄８指定では、先行コマンドデータが「８６Ｈ」、後続コマンドデータが「０８Ｈ」であり、電源投入時第１停止図柄９指定では、先行コマンドデータが「８６Ｈ」、後続コマンドデータが「０９Ｈ」であり、電源投入時第１停止図柄１０指定では、先行コマンドデータが「８６Ｈ」、後続コマンドデータが「０ＡＨ」であり、電源投入時第１停止図柄１１指定では、先行コマンドデータが「８６Ｈ」、後続コマンドデータが「０ＢＨ」であり、電源投入時第１停止図柄１２指定では、先行コマンドデータが「８６Ｈ」、後続コマンドデータが「０ＣＨ」である。
【００６３】
次に、上記「電源投入時第１停止図柄１指定」から「電源投入時第１停止図柄１２指定」までの１２種類のコマンドデータの指定内容について説明する。電源投入時第１停止図柄１指定では、第１停止図柄Ｌ１に「一萬」を表示する。また、電源投入時第１停止図柄２指定では、第１停止図柄Ｌ１に「二萬」を表示する。また、電源投入時第１停止図柄３指定では、第１停止図柄Ｌ１に「三萬」を表示する。また、電源投入時第１停止図柄４指定では、第１停止図柄Ｌ１に「四萬」を表示する。また、電源投入時第１停止図柄５指定では、第１停止図柄Ｌ１に「五萬」を表示する。また、電源投入時第１停止図柄６指定では、第１停止図柄Ｌ１に「六萬」を表示する。また、電源投入時第１停止図柄７指定では、第１停止図柄Ｌ１に「七萬」を表示する。また、電源投入時第１停止図柄８指定では、第１停止図柄Ｌ１に「八萬」を表示する。また、電源投入時第１停止図柄９指定では、第１停止図柄Ｌ１に「九萬」を表示する。また、電源投入時第１停止図柄１０指定では、第１停止図柄Ｌ１に「白」を表示する。また、電源投入時第１停止図柄１１指定では、第１停止図柄Ｌ１に「撥」を表示する。また、電源投入時第１停止図柄１２指定では、第１停止図柄Ｌ１に「中」を表示する。
【００６４】
次に、図柄表示基板４４のサブＣＰＵ１０３がメインＣＰＵ１００に送信する電源投入時第２停止図柄指定コマンドデータについて説明する。電源投入時第２停止図柄指定コマンドデータは、「電源投入時第２停止図柄１指定」から「電源投入時第２停止図柄１２指定」までの１２種類があり、この電源投入時第２停止図柄指定コマンドデータは、図柄表示基板４４のサブＲＡＭ１０４に記憶されている。ここで、電源投入時第２停止図柄１指定では、先行コマンドデータが「８７Ｈ」、後続コマンドデータが「０１Ｈ」であり、電源投入時第２停止図柄２指定では、先行コマンドデータが「８７Ｈ」、後続コマンドデータが「０２Ｈ」であり、電源投入時第２停止図柄３指定では、先行コマンドデータが「８７Ｈ」、後続コマンドデータが「０３Ｈ」であり、電源投入時第２停止図柄４指定では、先行コマンドデータが「８７Ｈ」、後続コマンドデータが「０４Ｈ」であり、電源投入時第２停止図柄５指定では、先行コマンドデータが「８７Ｈ」、後続コマンドデータが「０５Ｈ」である。
【００６５】
電源投入時第２停止図柄６指定では、先行コマンドデータが「８７Ｈ」、後続コマンドデータが「０６Ｈ」であり、電源投入時第２停止図柄７指定では、先行コマンドデータが「８７Ｈ」、後続コマンドデータが「０７Ｈ」であり、電源投入時第２停止図柄８指定では、先行コマンドデータが「８７Ｈ」、後続コマンドデータが「０８Ｈ」であり、電源投入時第２停止図柄９指定では、先行コマンドデータが「８７Ｈ」、後続コマンドデータが「０９Ｈ」であり、電源投入時第２停止図柄１０指定では、先行コマンドデータが「８７Ｈ」、後続コマンドデータが「０ＡＨ」であり、電源投入時第２停止図柄１１指定では、先行コマンドデータが「８７Ｈ」、後続コマンドデータが「０ＢＨ」であり、電源投入時第２停止図柄１２指定では、先行コマンドデータが「８７Ｈ」、後続コマンドデータが「０ＣＨ」である。
【００６６】
次に、上記「電源投入時第２停止図柄１指定」から「電源投入時第２停止図柄１２指定」までの１２種類のコマンドデータの指定内容について説明する。電源投入時第２停止図柄１指定では、第２停止図柄Ｌ２に「一萬」を表示する。また、電源投入時第２停止図柄２指定では、第２停止図柄Ｌ２に「二萬」を表示する。また、電源投入時第２停止図柄３指定では、第２停止図柄Ｌ２に「三萬」を表示する。また、電源投入時第２停止図柄４指定では、第２停止図柄Ｌ２に「四萬」を表示する。また、電源投入時第２停止図柄５指定では、第２停止図柄Ｌ２に「五萬」を表示する。また、電源投入時第２停止図柄６指定では、第２停止図柄Ｌ２に「六萬」を表示する。また、電源投入時第２停止図柄７指定では、第２停止図柄Ｌ２に「七萬」を表示する。また、電源投入時第２停止図柄８指定では、第２停止図柄Ｌ２に「八萬」を表示する。また、電源投入時第２停止図柄９指定では、第２停止図柄Ｌ２に「九萬」を表示する。また、電源投入時第２停止図柄１０指定では、第２停止図柄Ｌ２に「白」を表示する。また、電源投入時第２停止図柄１１指定では、第２停止図柄Ｌ２に「撥」を表示する。また、電源投入時第２停止図柄１２指定では、第２停止図柄Ｌ２に「中」を表示する。
【００６７】
次に、図柄表示基板４４のサブＣＰＵ１０３がメインＣＰＵ１００に送信する電源投入時第３停止図柄指定コマンドデータについて説明する。電源投入時第３停止図柄指定コマンドデータは、「電源投入時第３停止図柄１指定」から「電源投入時第３停止図柄１２指定」までの１２種類があり、この電源投入時第３停止図柄指定コマンドデータは、ＣＰＵ５１から受信したものが図柄表示基板４４のサブＲＡＭ１０４に記憶されている。ここで、電源投入時第３停止図柄１指定では、先行コマンドデータが「８８Ｈ」、後続コマンドデータが「０１Ｈ」であり、電源投入時第３停止図柄２指定では、先行コマンドデータが「８８Ｈ」、後続コマンドデータが「０２Ｈ」であり、電源投入時第３停止図柄３指定では、先行コマンドデータが「８８Ｈ」、後続コマンドデータが「０３Ｈ」であり、電源投入時第３停止図柄４指定では、先行コマンドデータが「８８Ｈ」、後続コマンドデータが「０４Ｈ」であり、電源投入時第３停止図柄５指定では、先行コマンドデータが「８８Ｈ」、後続コマンドデータが「０５Ｈ」である。
【００６８】
電源投入時第３停止図柄６指定では、先行コマンドデータが「８８Ｈ」、後続コマンドデータが「０６Ｈ」であり、電源投入時第３停止図柄７指定では、先行コマンドデータが「８８Ｈ」、後続コマンドデータが「０７Ｈ」であり、電源投入時第３停止図柄８指定では、先行コマンドデータが「８８Ｈ」、後続コマンドデータが「０８Ｈ」であり、電源投入時第３停止図柄９指定では、先行コマンドデータが「８８Ｈ」、後続コマンドデータが「０９Ｈ」であり、電源投入時第３停止図柄１０指定では、先行コマンドデータが「８８Ｈ」、後続コマンドデータが「０ＡＨ」であり、電源投入時第３停止図柄１１指定では、先行コマンドデータが「８８Ｈ」、後続コマンドデータが「０ＢＨ」であり、電源投入時第３停止図柄１２指定では、先行コマンドデータが「８８Ｈ」、後続コマンドデータが「０ＣＨ」である。
【００６９】
次に、上記「電源投入時第３停止図柄１指定」から「電源投入時第３停止図柄１２指定」までの１２種類のコマンドデータの指定内容について説明する。電源投入時第３停止図柄１指定では、第３停止図柄Ｌ３に「一萬」を表示する。また、電源投入時第３停止図柄２指定では、第３停止図柄Ｌ３に「二萬」を表示する。また、電源投入時第３停止図柄３指定では、第３停止図柄Ｌ３に「三萬」を表示する。また、電源投入時第３停止図柄４指定では、第３停止図柄Ｌ３に「四萬」を表示する。また、電源投入時第３停止図柄５指定では、第３停止図柄Ｌ３に「五萬」を表示する。また、電源投入時第３停止図柄６指定では、第３停止図柄Ｌ３に「六萬」を表示する。また、電源投入時第３停止図柄７指定では、第３停止図柄Ｌ３に「七萬」を表示する。また、電源投入時第３停止図柄８指定では、第３停止図柄Ｌ３に「八萬」を表示する。また、電源投入時第３停止図柄９指定では、第３停止図柄Ｌ３に「九萬」を表示する。また、電源投入時第３停止図柄１０指定では、第３停止図柄Ｌ３に「白」を表示する。また、電源投入時第３停止図柄１１指定では、第３停止図柄Ｌ３に「撥」を表示する。また、電源投入時第３停止図柄１２指定では、第３停止図柄Ｌ３に「中」を表示する。
【００７０】
次に、本実施の形態のパチンコ機１の特別図柄表示装置８への図柄表示の動作について説明する。まず、特別図柄表示装置８の液晶１２１上の第１停止図柄Ｌ１、第２停止図柄Ｌ２、第３停止図柄Ｌ３の変動開始について図８に示すタイミングチャートに基づいて説明する。図８は、特別図柄表示装置８が画面の表示を変動させる変動開始時の各信号のタイミングチャートである。
【００７１】
ストローブ信号２００は、主基板４１のＣＰＵ５１から図柄表示基板４４のサブＣＰＵ１０３に送られるストローブ信号を表す波形であり、図８に示すように、このストローブ信号２００のタイミングで、各々、図示外の先行コマンドと後続コマンドとが一組となって、ＣＰＵ５１からサブＣＰＵ１０３に、特別図柄表示装置８の液晶１２１の画面の変動パターン指定コマンドデータ、第１停止図柄の指定を命じる第１停止図柄指定コマンドデータ、第２停止図柄の指定を命じる第２停止図柄指定コマンドデータ、第３停止図柄の指定を命じる第３停止図柄指定コマンドデータ、図柄停止コマンドデータ、及び電源投入時（朝一）出目設定コマンドデータ等の図柄表示に関する各コマンドデータが送られる。
【００７２】
また、アドレス／データ信号２０１は、図柄表示基板４４のサブＣＰＵ１０３から図柄表示基板４４のメインＣＰＵ１００に送られるアドレス指定データ及びコマンドデータを表す信号波形であり、コマンドデータとしては、「変動パターン１指定」から「変動パターン２５指定」の変動パターン指定コマンドデータと、「第１停止図柄１指定」から「第１停止図柄１２指定」の第１停止図柄指定コマンドデータと、「第２停止図柄１指定」から「第２停止図柄１２指定」の第２停止図柄指定コマンドデータと、「第３停止図柄１指定」から「第３停止図柄１２指定」の第３停止図柄指定コマンドデータと、「電源投入時第１停止図柄１指定」から「電源投入時第１停止図柄１２指定」の電源投入時第１停止図柄指定コマンドデータと、「電源投入時第２停止図柄１指定」から「電源投入時第２停止図柄１２指定」の電源投入時第２停止図柄指定コマンドデータと、「電源投入時第３停止図柄１指定」から「電源投入時第３停止図柄１２指定」の電源投入時第３停止図柄指定コマンドデータ等がある。
【００７３】
さらに、アドレス／データ切換信号２０２は、図柄表示基板４４のサブＣＰＵ１０３から図柄表示基板４４のメインＣＰＵ１００に送られるアドレス指定データ及びコマンドデータの切換を指示するアドレス／データ切換信号を表す波形であり、このアドレス／データ切換信号２０２がＨｉｇｈの間は、アドレスが送信され、次いで、アドレス／データ切換信号２０２がＬｏｗとなり、後述するイネーブル信号２０３がＨｉｇｈになると、コマンドデータが送信される。
【００７４】
また、イネーブル信号２０３は、図柄表示基板４４のサブＣＰＵ１０３から図柄表示基板４４のメインＣＰＵ１００に送られるイネーブル信号を表す波形であり、このイネーブル信号２０３がＨｉｇｈになると、メインＣＰＵ１００はサブＣＰＵ１０３からのコマンドデータの受信を開始する。さらに、ＡＣＫ信号２０４は、図柄表示基板４４のメインＣＰＵ１００から図柄表示基板４４のサブＣＰＵ１０３に送られるアクノリッジ信号を表す波形であり、イネーブル信号２０３がＨｉｇｈになると、ＡＣＫ信号２０４はＨｉｇｈになり、メインＣＰＵ１００がコマンドデータの受信を開始し、メインＣＰＵ１００が当該コマンドデータを認識するとＡＣＫ信号２０４は、Ｌｏｗとなる。そして、ＡＣＫ信号２０４がＬｏｗになると、サブＣＰＵ１０３はイネーブル信号２０３をＬｏｗとして次の処理へ移行する。
【００７５】
なお、図９に示す図柄停止時のタイミングチャート、図１０に示す通信エラー発生／解除時のタイミングのタイミングチャート、図１１に示す電源投入時（朝一）出目設定時のタイミングチャートに於けるストローブ信号２００、アドレス／データ信号２０１、アドレス／データ切換信号２０２、イネーブル信号２０３、ＡＣＫ信号２０４も上記と同様の信号である。
【００７６】
次に、上記各信号が発生する起因となる遊技機の動作について簡単に説明する。まず、特別図柄始動電動役物１５に遊技球が入賞して、特別図柄始動電動役物１５に設けられている入賞口スイッチ７６が、遊技球の入賞を感知する。そして、ＣＰＵ５１がＲＯＭ５３に記憶された制御プログラムに基づいて、大当たり判定やリーチ判定を行った後に、ＣＰＵ５１は、Ｉ／Ｏインターフェース５４及びバスライン９５を介して、サブＣＰＵ１０３に特別図柄表示装置８の液晶１２１の画面の変動開始を指示することになる。そこで、図８乃至図１１に示す各信号が順次送信されることになる。
【００７７】
図８に示す変動開始時のタイミングチャートにおいて、最初の割込リセット信号（ｔ０時）のとき、ストローブ信号２００ａ，２００ｂが送信される。すなわち、ストローブ信号２００ａのタイミングで変動パターン指定コマンドデータの先行コマンドをＣＰＵ５１からサブＣＰＵ１０３へ送り、ストローブ信号２００ｂのタイミングで変動パターン指定コマンドデータの後続コマンドをＣＰＵ５１からサブＣＰＵ１０３へ送る。ここでは、まず、図柄に関する情報出力Ｓ１，Ｓ２，Ｓ３が行われる。この図柄に関する情報出力Ｓ１，Ｓ２，Ｓ３は、図柄表示基板４４のサブＣＰＵ１０３から図示外の図柄検査装置へデータが出力されて、パチンコ機１の図柄変動の検査等に使用されるものであり、メインＣＰＵ１００が、特別図柄表示装置８の制御に使用するものではない。なお、図柄に関する情報出力Ｓ１は「図柄変動中」を示し、図柄に関する情報出力Ｓ２は「第１停止図柄Ｌ１から第３停止図柄Ｌ３の図柄変動中」を示し、図柄に関する情報出力Ｓ３は「エラー解除」を示すデータである。
【００７８】
図柄に関する情報出力Ｓ１では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ１が送信され、次いで、アドレス／データ切換信号２０２がＬｏｗとなり、イネーブル信号２０３がＨｉｇｈになると、図柄変動中を示すコマンドデータＤ１が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。なお、図柄に関する情報出力のコマンドデータは、図柄表示基板４４のサブＣＰＵ１０３から図示外の図柄検査装置に、周辺機器用Ｉ／Ｏコントローラ１１０を介して出力するだけでなく、図柄表示基板４４のメインＣＰＵ１００にも出力され、メインＣＰＵ１００では、その図柄に関する情報出力のコマンドデータを無視するようにしてもよい。
【００７９】
次いで、図柄に関する情報出力Ｓ２では、上記と同様に、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ２が送信され、次いで、アドレス／データ切換信号２０２がＬｏｗとなり、イネーブル信号２０３がＨｉｇｈになると、第１停止図柄Ｌ１から第３停止図柄Ｌ３の図柄変動中を示すコマンドデータＤ２が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８０】
次いで、図柄に関する情報出力Ｓ３では、上記と同様に、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３が送信され、次いで、アドレス／データ切換信号２０２がＬｏｗとなり、イネーブル信号２０３がＨｉｇｈになると、エラー解除を示すコマンドデータＤ３が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８１】
次に、図柄表示基板４４のサブＣＰＵ１０３からメインＣＰＵ１００に変動パターン指定コマンドＳ４が送信される。この変動パターン指定コマンドＳ４は、特別図柄表示装置８を制御するためのデータである。変動パターン指定コマンドＳ４では、まず、アドレス／データ切換信号２０２がＨｉｇｈとなり、図柄表示基板４４のサブＣＰＵ１０３からメインＣＰＵ１００にアドレス指定データＡ４が送信され、次いで、アドレス／データ切換信号２０２がＬｏｗとなり、イネーブル信号２０３がＨｉｇｈになると、変動パターン指定コマンドデータＤ４が送信される。この変動パターン指定コマンドデータＤ４は、前記「変動パターン１指定」から「変動パターン２５指定」の何れかの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８２】
次いで、アドレス／データ切換信号２０２がＨｉｇｈとなり、図柄表示基板４４のサブＣＰＵ１０３からメインＣＰＵ１００にアドレス指定データＡ５が送信され、次いで、アドレス／データ切換信号２０２がＬｏｗとなり、イネーブル信号２０３がＨｉｇｈになると、変動パターン指定コマンドデータＤ５が送信される。この変動パターン指定コマンドデータＤ５は、前記「変動パターン１指定」から「変動パターン２５指定」の何れかの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８３】
従って、メインＣＰＵ１００は、受信した変動パターン指定コマンドデータＤ４（先行コマンドデータ）と、変動パターン指定コマンドデータＤ５（後続コマンドデータ）とに基づいて、特別図柄表示装置８の液晶１２１の画面の変動を開始する。
【００８４】
次のリセット割り込み時（ｔ１時、ｔ０から２ｍｓ後）に、第１停止図柄指定コマンドデータの送信をＣＰＵ５１からサブＣＰＵ１０３に行うため、まず、第１停止図柄指定コマンドデータをＣＰＵ５１からサブＣＰＵ１０３に送信する。ここでは、主基板４１のＣＰＵ５１から図柄表示基板４４のサブＣＰＵ１０３にストローブ信号２００ｃ，２００ｄが送信される。すなわち、ストローブ信号２００ｃのタイミングで第１停止図柄指定コマンドデータの先行コマンドが主基板４１のＣＰＵ５１から図柄表示基板４４のサブＣＰＵ１０３に送信され、ストローブ信号２００ｄのタイミングで第１停止図柄指定コマンドデータの後続コマンドが主基板４１のＣＰＵ５１から図柄表示基板４４のサブＣＰＵ１０３に送信される。ここで、まず、図柄に関する情報出力Ｓ５が行われる。この図柄に関する情報出力Ｓ５は、図柄表示基板４４のサブＣＰＵ１０３から図示外の図柄検査装置へ図柄停止データ等が出力されて、パチンコ機１の図柄表示の検査等に使用されるものであり、メインＣＰＵ１００が、特別図柄表示装置８の制御に使用するものではない。なお、図柄に関する情報出力Ｓ５は「第１停止図柄Ｌ１の図柄番号と図柄色」を示すデータである。
【００８５】
図柄に関する情報出力Ｓ５では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ６が送信され、次いで、アドレス／データ切換信号２０２がＬｏｗとなり、イネーブル信号２０３がＨｉｇｈになると、第１停止図柄Ｌ１の図柄番号と図柄色を示すコマンドデータＤ６が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８６】
次に、図柄表示基板４４のサブＣＰＵ１０３からメインＣＰＵ１００に第１停止図柄指定コマンドＳ６が送信される。この第１停止図柄指定コマンドＳ６は、特別図柄表示装置８の第１停止図柄を指定するためのデータである。第１停止図柄指定コマンドＳ６では、まず、アドレス／データ切換信号２０２がＨｉｇｈとなり、図柄表示基板４４のサブＣＰＵ１０３からメインＣＰＵ１００にアドレス指定データＡ７が送信され、次いで、アドレス／データ切換信号２０２がＬｏｗとなり、イネーブル信号２０３がＨｉｇｈになると、第１停止図柄指定コマンドデータＤ７がサブＣＰＵ１０３からメインＣＰＵ１００へ送られる。この第１停止図柄指定コマンドデータＤ７は、前記「第１停止図柄１指定」から「第１停止図柄１２指定」の何れかの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８７】
次いで、アドレス／データ切換信号２０２がＨｉｇｈとなり、図柄表示基板４４のサブＣＰＵ１０３からメインＣＰＵ１００にアドレス指定データＡ８が送信され、次いで、アドレス／データ切換信号２０２がＬｏｗとなり、イネーブル信号２０３がＨｉｇｈになると、第１停止図柄指定コマンドデータＤ８がサブＣＰＵ１０３からメインＣＰＵ１００へ送られる。この第１停止図柄指定コマンドデータＤ８は、前記「第１停止図柄１指定」から「第１停止図柄１２指定」の何れかの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００８８】
次のリセット割り込み時（ｔ２時、ｔ１から２ｍｓ後）に、まず、第２停止図柄指定コマンドデータをＣＰＵ５１からサブＣＰＵ１０３に送信する。ここでは、主基板４１のＣＰＵ５１から図柄表示基板４４のサブＣＰＵ１０３にストローブ信号２００ｅ，２００ｆが送信される。すなわち、ストローブ信号２００ｅのタイミングで第２停止図柄指定コマンドデータの先行コマンドが主基板４１のＣＰＵ５１から図柄表示基板４４のサブＣＰＵ１０３に送信され、ストローブ信号２００ｆのタイミングで第２停止図柄指定コマンドデータの後続コマンドが主基板４１のＣＰＵ５１から図柄表示基板４４のサブＣＰＵ１０３に送信される。次いで、まず、図柄に関する情報出力Ｓ７が行われる。この図柄に関する情報出力Ｓ７は、図柄表示基板４４のサブＣＰＵ１０３から図示外の図柄検査装置へ図柄停止データ等が出力されて、パチンコ機１の図柄表示の検査等に使用されるものであり、メインＣＰＵ１００が、特別図柄表示装置８の制御に使用するものではない。なお、図柄に関する情報出力Ｓ７は「第２停止図柄Ｌ２の図柄番号と図柄色」を示すデータである。
【００８９】
図柄に関する情報出力Ｓ７では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ９が送信され、次いで、アドレス／データ切換信号２０２がＬｏｗとなり、イネーブル信号２０３がＨｉｇｈになると、第２停止図柄Ｌ２の図柄番号と図柄色を示すコマンドデータＤ９が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９０】
次に、図柄表示基板４４のサブＣＰＵ１０３からメインＣＰＵ１００に第２停止図柄指定コマンドＳ８が送信される。この第２停止図柄指定コマンドＳ８は、特別図柄表示装置８の第２停止図柄を指定するためのデータである。第２停止図柄指定コマンドＳ８では、まず、アドレス／データ切換信号２０２がＨｉｇｈとなり、図柄表示基板４４のサブＣＰＵ１０３からメインＣＰＵ１００にアドレス指定データＡ１０が送信され、次いで、アドレス／データ切換信号２０２がＬｏｗとなり、イネーブル信号２０３がＨｉｇｈになると、第２停止図柄指定コマンドデータＤ１０がサブＣＰＵ１０３からメインＣＰＵ１００へ送られる。この第２停止図柄指定コマンドデータＤ１０は、前記「第２停止図柄１指定」から「第２停止図柄１２指定」の何れかの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９１】
次いで、アドレス／データ切換信号２０２がＨｉｇｈとなり、図柄表示基板４４のサブＣＰＵ１０３からメインＣＰＵ１００にアドレス指定データＡ１１が送信され、次いで、アドレス／データ切換信号２０２がＬｏｗとなり、イネーブル信号２０３がＨｉｇｈになると、第２停止図柄指定コマンドデータＤ１１がサブＣＰＵ１０３からメインＣＰＵ１００へ送られる。この第２停止図柄指定コマンドデータＤ１１は、前記「第２停止図柄１指定」から「第２停止図柄１２指定」の何れかの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９２】
次のリセット割り込み時（ｔ３時、ｔ２から２ｍｓ後）に、 まず、第３停止図柄指定コマンドデータをＣＰＵ５１からサブＣＰＵ１０３に送信する。ここでは、主基板４１のＣＰＵ５１から図柄表示基板４４のサブＣＰＵ１０３にストローブ信号２００ｇ，２００ｈが送信される。すなわち、ストローブ信号２００ｇのタイミングで第３停止図柄指定コマンドデータの先行コマンドが主基板４１のＣＰＵ５１から図柄表示基板４４のサブＣＰＵ１０３に送信され、ストローブ信号２００ｈのタイミングで第３停止図柄指定コマンドデータの後続コマンドが主基板４１のＣＰＵ５１から図柄表示基板４４のサブＣＰＵ１０３に送信される。次いで、図柄に関する情報出力Ｓ９が行われる。この図柄に関する情報出力Ｓ９は、図柄表示基板４４のサブＣＰＵ１０３から図示外の図柄検査装置へ図柄停止データ等が出力されて、パチンコ機１の図柄表示の検査等に使用されるものであり、メインＣＰＵ１００が、特別図柄表示装置８の制御に使用するものではない。なお、図柄に関する情報出力Ｓ９は「第３停止図柄Ｌ３の図柄番号と図柄色」を示すデータである。
【００９３】
図柄に関する情報出力Ｓ９では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ１２が送信され、次いで、アドレス／データ切換信号２０２がＬｏｗとなり、イネーブル信号２０３がＨｉｇｈになると、第３停止図柄Ｌ３の図柄番号と図柄色を示すコマンドデータＤ１２が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９４】
次に、図柄表示基板４４のサブＣＰＵ１０３からメインＣＰＵ１００に第３停止図柄指定コマンドＳ１０が送信される。この第３停止図柄指定コマンドＳ１０は、特別図柄表示装置８の第３停止図柄を指定するためのデータである。第３停止図柄指定コマンドＳ１０では、まず、アドレス／データ切換信号２０２がＨｉｇｈとなり、図柄表示基板４４のサブＣＰＵ１０３からメインＣＰＵ１００にアドレス指定データＡ１３が送信され、次いで、アドレス／データ切換信号２０２がＬｏｗとなり、イネーブル信号２０３がＨｉｇｈになると、第３停止図柄指定コマンドデータＤ１３がサブＣＰＵ１０３からメインＣＰＵ１００へ送られる。この第３停止図柄指定コマンドデータＤ１３は、前記「第３停止図柄１指定」から「第３停止図柄１２指定」の何れかの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９５】
次いで、アドレス／データ切換信号２０２がＨｉｇｈとなり、図柄表示基板４４のサブＣＰＵ１０３からメインＣＰＵ１００にアドレス指定データＡ１４が送信され、次いで、アドレス／データ切換信号２０２がＬｏｗとなり、イネーブル信号２０３がＨｉｇｈになると、第３停止図柄指定コマンドデータＤ１４がサブＣＰＵ１０３からメインＣＰＵ１００へ送られる。この第３停止図柄指定コマンドデータＤ１４は、前記「第３停止図柄１指定」から「第３停止図柄１２指定」の何れかの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９６】
次に、図９に示す図柄停止時のタイミングチャートを参照して、特別図柄表示装置８の液晶１２１上の第１停止図柄Ｌ１、第２停止図柄Ｌ２、第３停止図柄Ｌ３の変動停止について説明する。図８に示すｔ３時の後、所定のリセット割り込み時（ｔ４時）に、図柄停止コマンドデータがＣＰＵ５１からサブＣＰＵ１０３に送信される。ここでは、主基板４１のＣＰＵ５１から図柄表示基板４４のサブＣＰＵ１０３にストローブ信号２００ｉ，２００ｊが送信される。すなわち、ストローブ信号２００ｉのタイミングで図柄停止コマンドデータの先行コマンドが主基板４１のＣＰＵ５１から図柄表示基板４４のサブＣＰＵ１０３に送信され、ストローブ信号２００ｊのタイミングで図柄停止コマンドデータの後続コマンドが主基板４１のＣＰＵ５１から図柄表示基板４４のサブＣＰＵ１０３に送信される。次いで、図柄に関する情報出力Ｓ１１，Ｓ１２が行われる。この図柄に関する情報出力Ｓ１１，Ｓ１２は、図柄表示基板４４のサブＣＰＵ１０３から図示外の図柄検査装置へ出力されて、パチンコ機１の図柄停止の検査等に使用されるものであり、メインＣＰＵ１００が、特別図柄表示装置８の制御に使用するものではない。なお、図柄に関する情報出力Ｓ１１は「図柄変動中クリア及び図柄確定セット」を示すデータであり、図柄に関する情報出力Ｓ１２は「第１停止図柄Ｌ１乃至第３停止図柄Ｌ３の図柄変動中クリア」を示すデータである。
【００９７】
図柄に関する情報出力Ｓ１１では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ１６が送信され、次いで、アドレス／データ切換信号２０２がＬｏｗとなり、イネーブル信号２０３がＨｉｇｈになると、図柄変動中クリア及び図柄確定セットを示すコマンドデータＤ１６が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９８】
次に、図柄に関する情報出力Ｓ１２では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ１７が送信され、次いで、アドレス／データ切換信号２０２がＬｏｗとなり、イネーブル信号２０３がＨｉｇｈになると、第１停止図柄Ｌ１乃至第３停止図柄Ｌ３の図柄変動中クリアを示すコマンドデータＤ１７が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【００９９】
次いで、全図柄停止コマンドＳ１３が図柄表示基板４４のサブＣＰＵ１０３から図柄表示基板４４のメインＣＰＵ１００に出力される。全図柄停止コマンドＳ１３では、まず、アドレス／データ切換信号２０２がＨｉｇｈとなり、図柄表示基板４４のサブＣＰＵ１０３から図柄表示基板４４のメインＣＰＵ１００にアドレス指定データＡ１８が送信され、次いで、アドレス／データ切換信号２０２がＬｏｗとなり、イネーブル信号２０３がＨｉｇｈになると、図柄停止コマンドデータＤ１８がサブＣＰＵ１０３からメインＣＰＵ１００へ送られる。この図柄停止コマンドデータＤ１８は、前記サブＣＰＵ１０３からメインＣＰＵ１００へ送られる図柄停止コマンドデータの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１００】
次いで、アドレス／データ切換信号２０２がＨｉｇｈとなり、図柄表示基板４４のサブＣＰＵ１０３からメインＣＰＵ１００にアドレス指定データＡ１９が送信され、次いで、アドレス／データ切換信号２０２がＬｏｗとなり、イネーブル信号２０３がＨｉｇｈになると、図柄停止コマンドデータＤ１９がサブＣＰＵ１０３からメインＣＰＵ１００へ送られる。この図柄停止コマンドデータＤ１９は、前記図柄停止コマンドデータの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１０１】
次に、図柄に関する情報出力Ｓ１４が行われる。この図柄に関する情報出力Ｓ１４は、図柄表示基板４４のサブＣＰＵ１０３から図示外の図柄検査装置へ出力されて、パチンコ機１の図柄停止の検査等に使用されるものであり、メインＣＰＵ１００が、特別図柄表示装置８の制御に使用するものではない。なお、図柄に関する情報出力Ｓ１４は「図柄確定クリア」を示すデータであり、図柄確定セットから１００ｍｓ後に出力されるデータである。
【０１０２】
図柄に関する情報出力Ｓ１４では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ２０が送信され、次いで、アドレス／データ切換信号２０２がＬｏｗとなり、イネーブル信号２０３がＨｉｇｈになると、図柄確定クリアを示すコマンドデータＤ２０が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。以上の動作により第１停止図柄Ｌ１、第２停止図柄Ｌ２、第３停止図柄Ｌ３が、前記第１停止図柄指定コマンド、第２停止図柄指定コマンド、第３停止図柄指定コマンドで各々指定された図柄で停止する。
【０１０３】
次に、図１０に示す通信エラー発生／解除時のタイミングチャートを参照して、特別図柄表示装置８の液晶１２１上への通信エラー表示及びその通信エラー表示の解除について説明する。図柄表示基板４４のサブＣＰＵ１０３やメインＣＰＵ１００がコマンドデータを正常に受信できない場合に、通信エラーが発生する。例えば、変動パターン指定コマンドを正常に受信できない場合や、図柄変動開始後１秒以内に、第１停止図柄指定コマンド、第２停止図柄指定コマンド、第３停止図柄指定コマンドの内の少なくとも一つを正常に受信できない場合や、図柄停止コマンドを正常に受信できない場合等に通信エラーが発生する。なお、通信エラー発生か否かの判断は、通信エラー発生判断手段であるサブＣＰＵ１０３及びメインＣＰＵ１００が、サブＲＯＭ１０５及びメインＲＯＭ１０２に記憶したプログラムに従って、コマンドデータを正常に受信できたか否かに基づいて行う。
【０１０４】
すなわち、主基板４１のＣＰＵ５１から図柄表示基板４４のサブＣＰＵ１０３が受信したコマンドデータが、サブＣＰＵ１０３により、正常でないデータ、すなわち通信エラーとなるコマンドデータと判断された場合には、周辺機器用Ｉ／Ｏコントローラ１１０を介して図示外の図柄検査装置へ通信エラーを示す図柄に関する情報が出力される。また、サブＣＰＵ１０３は、受信した通信エラーとなるコマンドデータをメインＣＰＵ１００にそのまま送信するが、この通信エラーとなるコマンドデータがメインＣＰＵ１００でも正常でないデータすなわち通信エラーとなるコマンドデータと判断された場合には、図１２に示すように、メインＣＰＵ１００は特別図柄表示装置８の液晶１２１に「通信エラー」と書かれた画面を表示する。
【０１０５】
また、通信エラー解除か否かの判断は、通信エラー解除判断手段であるサブＣＰＵ１０３及びメインＣＰＵ１００が、サブＲＯＭ１０５及びメインＲＯＭ１０２に記憶したプログラムに従って、コマンドデータを正常に受信できたか否かに基づいて行う。すなわち、主基板４１のＣＰＵ５１から図柄表示基板４４のサブＣＰＵ１０３が受信したコマンドデータが、通信エラー解除となる正常な変動パターン指定コマンドデータ又は正常な電源投入時（朝一）出目設定コマンドデータ等の場合には、周辺機器用Ｉ／Ｏコントローラ１１０を介して図示外の図柄検査装置へ通信エラー解除を示す図柄に関する情報が出力される。サブＣＰＵ１０３は、受信した通信エラー解除となるコマンドデータをメインＣＰＵ１００にそのまま送信するが、この通信エラー解除となるコマンドデータがメインＣＰＵ１００でも正常なデータすなわち通信エラー解除となるコマンドデータと判断された場合には、通信エラー画面の表示を終了し、正常な画面の表示に戻す。
【０１０６】
なお、通信エラーか否かの判断を全てサブＣＰＵ１０３で行うようにしても良い。また、通信エラーか否かの判断を全てメインＣＰＵ１００で行い、メインＣＰＵ１００からサブＣＰＵ１０３に通信エラーを示すコマンドを送信して、サブＣＰＵ１０３から図示外の図柄検査装置に通信エラーを示す図柄に関する情報を出力するようにしても良い。
【０１０７】
通信エラーが発生した場合には、図１２に示すように、特別図柄表示装置８の液晶１２１上へ「通信エラー」との通信エラー表示が行われる。具体的には、図１０に示すｔ５時に、主基板４１のＣＰＵ５１から図柄表示基板４４のサブＣＰＵ１０３にストローブ信号２００ｋのタイミングで送信される図柄表示に関する上記の何れかのコマンドデータの先行コマンドと、ストローブ信号２００ｌのタイミングで後続コマンドとが送信されたときに、サブＣＰＵ１０３がこれらのストローブ信号２００ｋのタイミングで送信される先行コマンド、及び、２００ｌのタイミングで送信される後続コマンドを正常に受信できない場合には、すなわち、通信エラーとなる正常でない内容のコマンドデータを受信した場合や所定時間以内に正常なコマンドデータを受信出来ない場合には、サブＣＰＵ１０３から通信エラーを示す図柄に関する情報出力Ｓ１５が行われる。この図柄に関する情報出力Ｓ１５は、図柄表示基板４４のサブＣＰＵ１０３から図示外の図柄検査装置へ出力されて、パチンコ機１の図柄表示の検査等に使用されるものであり、メインＣＰＵ１００が、特別図柄表示装置８の制御に使用するものではない。なお、図柄に関する情報出力Ｓ１５は「エラーセット」を示すデータである。
【０１０８】
図柄に関する情報出力Ｓ１５では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ２１が送信され、次いで、アドレス／データ切換信号２０２がＬｏｗとなり、イネーブル信号２０３がＨｉｇｈになると、エラーセットを示すコマンドデータＤ２１が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１０９】
次いで、アドレス／データ切換信号２０２がＨｉｇｈとなり、図柄表示基板４４のサブＣＰＵ１０３からメインＣＰＵ１００にアドレス指定データＡ２２が送信され、次いで、アドレス／データ切換信号２０２がＬｏｗとなり、イネーブル信号２０３がＨｉｇｈになると、通信エラーとなるコマンドデータＤ２２がサブＣＰＵ１０３からメインＣＰＵ１００へそのまま送られる。この通信エラーとなるコマンドデータＤ２２は、通信エラーとなるコマンドデータの先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１１０】
次いで、アドレス／データ切換信号２０２がＨｉｇｈとなり、図柄表示基板４４のサブＣＰＵ１０３からメインＣＰＵ１００にアドレス指定データＡ２３が送信され、次いで、アドレス／データ切換信号２０２がＬｏｗとなり、イネーブル信号２０３がＨｉｇｈになると、通信エラーとなるコマンドデータＤ２３がサブＣＰＵ１０３からメインＣＰＵ１００へそのまま送られる。この通信エラーとなるコマンドデータＤ２３は、通信エラーとなるコマンドデータの後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。ここで、メインＣＰＵ１００が、受信したコマンドデータＤ２２、コマンドデータＤ２３が通信エラーとなるコマンドデータであると判断すると、図１２に示すように、特別図柄表示装置８の液晶１２１上に「通信エラー」との通信エラー表示が行われる。
【０１１１】
次に、通信エラー状態が解消すると、すなわち、ストローブ信号２００ｍのタイミングで送信される通信エラー解除となる正常な変動パターン指定コマンドデータ又は正常な電源投入時（朝一）出目設定コマンドデータ等の先行コマンドとストローブ信号２００ｎのタイミングで送信される通信エラー解除となる正常な変動パターン指定コマンドデータ又は正常な電源投入時（朝一）出目設定コマンドデータ等の後続コマンドとがサブＣＰＵ１０３に受信されたときには、周辺機器用Ｉ／Ｏコントローラ１１０を介して図示外の図柄検査装置へ通信エラー解除を示す図柄に関する情報が出力される。具体的には、サブＣＰＵ１０３が、図１０に示すｔ６時に、ストローブ信号２００ｍのタイミングで送信される通信エラー解除となる正常なコマンドデータの先行コマンドと、ストローブ信号２００ｎのタイミングで送信される後続コマンドとを受信した場合には、周辺機器用Ｉ／Ｏコントローラ１１０を介して図示外の図柄検査装置へ通信エラー解除を示す図柄に関する情報出力Ｓ１７が行われる。この図柄に関する情報出力Ｓ１７は、図柄表示基板４４のサブＣＰＵ１０３から図示外の図柄検査装置へ出力されて、パチンコ機１の図柄表示の検査等に使用されるものであり、メインＣＰＵ１００が、特別図柄表示装置８の制御に使用するものではない。なお、図柄に関する情報出力Ｓ１７は「エラー解除」を示すデータである。
【０１１２】
図柄に関する情報出力Ｓ１７では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ２４が送信され、次いで、アドレス／データ切換信号２０２がＬｏｗとなり、イネーブル信号２０３がＨｉｇｈになると、通信エラー解除を示すコマンドデータＤ２４が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１１３】
次いで、アドレス／データ切換信号２０２がＨｉｇｈとなり、図柄表示基板４４のサブＣＰＵ１０３からメインＣＰＵ１００にアドレス指定データＡ２５が送信され、次いで、アドレス／データ切換信号２０２がＬｏｗとなり、イネーブル信号２０３がＨｉｇｈになると、通信エラー解除となるコマンドデータＤ２５がサブＣＰＵ１０３からメインＣＰＵ１００へそのまま送られる。この通信エラー解除となるコマンドデータＤ２５は、前記ストローブ信号２００ｍのタイミングで送信される通信エラー解除となる正常なコマンドデータの先行コマンドと同じコマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１１４】
次いで、アドレス／データ切換信号２０２がＨｉｇｈとなり、図柄表示基板４４のサブＣＰＵ１０３からメインＣＰＵ１００にアドレス指定データＡ２６が送信され、次いで、アドレス／データ切換信号２０２がＬｏｗとなり、イネーブル信号２０３がＨｉｇｈになると、通信エラー解除となるコマンドデータＤ２６がサブＣＰＵ１０３からメインＣＰＵ１００へ送られる。この通信エラー解除となるコマンドデータＤ２６は、前記ストローブ信号２００ｎのタイミングで送信される通信エラー解除となる正常なコマンドデータの後続コマンドと同じコマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。ここで、受信したコマンドデータＤ２５、コマンドデータＤ２６が通信エラー解除となる正常なコマンドデータであると、メインＣＰＵ１００が判断すると、図１２に示すように、特別図柄表示装置８の液晶１２１上に「通信エラー」との通信エラー表示がなされていたものが解除されて、正常な図柄表示に戻る。
【０１１５】
次に、電源投入時（朝一）出目設定について、図１１に示す電源投入時（朝一）出目設定時のタイミングチャートを参照して説明する。遊技場において、朝一番にパチンコ機１に電源を入れると、特別図柄表示装置８の第１停止図柄Ｌ１，第２停止図柄Ｌ２，第３停止図柄Ｌ３に各々予め決められた特定の図柄を表示する。例えば、本実施例のパチンコ機１では、特別図柄表示装置８の第１停止図柄Ｌ１に「二萬」、第２停止図柄Ｌ２に「撥」、第３停止図柄Ｌ３に「二萬」を表示する。この図柄の表示が適切に表示されれば、電源投入時において、パチンコ機１が正常に起動したと判別できる。
【０１１６】
図１１に示す電源投入時（朝一）出目設定時のタイミングチャートに示すように、遊技場において、朝一番にパチンコ機１に電源を入れると、最初の割込リセット信号（ｔ７時）のとき、電源投入時第１停止図柄指定コマンドデータをＣＰＵ５１からサブＣＰＵ１０３に送信する。ここでは、主基板４１のＣＰＵ５１から図柄表示基板４４のサブＣＰＵ１０３に、ストローブ信号２００ｏのタイミングで電源投入時第１停止図柄指定コマンドデータの先行コマンド、及び、２００ｐのタイミングで電源投入時第１停止図柄指定コマンドデータの後続コマンドが送信される。次いで、図柄に関する情報出力Ｓ１９，Ｓ２０が行われる。この図柄に関する情報出力Ｓ１９，Ｓ２０は、図柄表示基板４４のサブＣＰＵ１０３から図示外の図柄検査装置へ出力されて、パチンコ機１の図柄停止の検査等に使用されるものであり、メインＣＰＵ１００が、特別図柄表示装置８の制御に使用するものではない。なお、図柄に関する情報出力Ｓ１９は「第１停止図柄Ｌ１の図柄番号及び図柄色」を示すデータであり、図柄に関する情報出力Ｓ２０は「通信エラー解除」を示すデータである。
【０１１７】
図柄に関する情報出力Ｓ１９では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３１が送信され、次いで、アドレス／データ切換信号２０２がＬｏｗとなり、イネーブル信号２０３がＨｉｇｈになると、第１停止図柄Ｌ１の図柄番号及び図柄色を示すコマンドデータＤ３１が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１１８】
次に、図柄に関する情報出力Ｓ２０では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３２が送信され、次いで、アドレス／データ切換信号２０２がＬｏｗとなり、イネーブル信号２０３がＨｉｇｈになると、通信エラー解除を示すコマンドデータＤ３２が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１１９】
次いで、電源投入時第１図柄指定コマンドＳ２１が図柄表示基板４４のサブＣＰＵ１０３からメインＣＰＵ１００に出力される。電源投入時第１図柄指定コマンドＳ２１では、まず、アドレス／データ切換信号２０２がＨｉｇｈとなり、図柄表示基板４４のサブＣＰＵ１０３からメインＣＰＵ１００にアドレス指定データＡ３３が送信され、次いで、アドレス／データ切換信号２０２がＬｏｗとなり、イネーブル信号２０３がＨｉｇｈになると、電源投入時第１図柄指定コマンドデータＤ３３がサブＣＰＵ１０３からメインＣＰＵ１００へ送られる。この電源投入時第１図柄指定コマンドデータＤ３３は、前記サブＣＰＵ１０３からメインＣＰＵ１００へ送られる前記「電源投入時第１停止図柄１指定」から「電源投入時第１停止図柄１２指定」の先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２０】
次いで、アドレス／データ切換信号２０２がＨｉｇｈとなり、図柄表示基板４４のサブＣＰＵ１０３からメインＣＰＵ１００にアドレス指定データＡ３４が送信され、次いで、アドレス／データ切換信号２０２がＬｏｗとなり、イネーブル信号２０３がＨｉｇｈになると、電源投入時第１図柄指定コマンドデータＤ３４がサブＣＰＵ１０３からメインＣＰＵ１００へ送られる。この電源投入時第１図柄指定コマンドデータＤ３４は、前記「電源投入時第１停止図柄１指定」から「電源投入時第１停止図柄１２指定」の後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２１】
次いで、次のリセット割り込み時（ｔ８時、ｔ７から２ｍｓ後）に、電源投入時第２停止図柄指定コマンドデータをＣＰＵ５１からサブＣＰＵ１０３に送信する。ここでは、主基板４１のＣＰＵ５１から図柄表示基板４４のサブＣＰＵ１０３にストローブ信号２００ｒのタイミングで電源投入時第２停止図柄指定コマンドデータの先行コマンド、及び、２００ｓのタイミングで電源投入時第２停止図柄指定コマンドデータの後続コマンドが送信される。次いで、図柄に関する情報出力Ｓ２２，Ｓ２３が行われる。この図柄に関する情報出力Ｓ２２，Ｓ２３は、図柄表示基板４４のサブＣＰＵ１０３から図示外の図柄検査装置へ出力されて、パチンコ機１の図柄停止の検査等に使用されるものであり、メインＣＰＵ１００が、特別図柄表示装置８の制御に使用するものではない。なお、図柄に関する情報出力Ｓ２２は「第２停止図柄Ｌ２の図柄番号及び図柄色」を示すデータであり、図柄に関する情報出力Ｓ２３は「通信エラー解除」を示すデータである。
【０１２２】
図柄に関する情報出力Ｓ２２では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３５が送信され、次いで、アドレス／データ切換信号２０２がＬｏｗとなり、イネーブル信号２０３がＨｉｇｈになると、第２停止図柄Ｌ２の図柄番号及び図柄色を示すコマンドデータＤ３５が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２３】
次に、図柄に関する情報出力Ｓ２３では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３６が送信され、次いで、アドレス／データ切換信号２０２がＬｏｗとなり、イネーブル信号２０３がＨｉｇｈになると、通信エラー解除を示すコマンドデータＤ３６が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２４】
次いで、電源投入時第２図柄指定コマンドＳ２４が図柄表示基板４４のサブＣＰＵ１０３から図柄表示基板４４のメインＣＰＵ１００に出力される。電源投入時第２図柄指定コマンドＳ２４では、まず、アドレス／データ切換信号２０２がＨｉｇｈとなり、図柄表示基板４４のサブＣＰＵ１０３から図柄表示基板４４のメインＣＰＵ１００にアドレス指定データＡ３７が送信され、次いで、アドレス／データ切換信号２０２がＬｏｗとなり、イネーブル信号２０３がＨｉｇｈになると、電源投入時第２図柄指定コマンドデータＤ３７がサブＣＰＵ１０３からメインＣＰＵ１００へ送られる。この電源投入時第２図柄指定コマンドデータＤ３７は、前記サブＣＰＵ１０３からメインＣＰＵ１００へ送られる「電源投入時第２停止図柄１指定」から「電源投入時第２停止図柄１２指定」の先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２５】
次いで、アドレス／データ切換信号２０２がＨｉｇｈとなり、図柄表示基板４４のサブＣＰＵ１０３からメインＣＰＵ１００にアドレス指定データＡ３８が送信され、次いで、アドレス／データ切換信号２０２がＬｏｗとなり、イネーブル信号２０３がＨｉｇｈになると、電源投入時第２図柄指定コマンドデータＤ３８がサブＣＰＵ１０３からメインＣＰＵ１００へ送られる。この電源投入時第２図柄指定コマンドデータＤ３８は、前記「電源投入時第２停止図柄１指定」から「電源投入時第２停止図柄１２指定」の後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２６】
次いで、次のリセット割り込み時（ｔ９時、ｔ８から２ｍｓ後）に、電源投入時第３停止図柄指定コマンドデータをＣＰＵ５１からサブＣＰＵ１０３に送信する。ここでは、主基板４１のＣＰＵ５１から図柄表示基板４４のサブＣＰＵ１０３にストローブ信号２００ｔのタイミングで電源投入時第３停止図柄指定コマンドデータの先行コマンド、及び、２００ｕのタイミングで電源投入時第３停止図柄指定コマンドデータの後続コマンドが送信される。次いで、図柄に関する情報出力Ｓ２５，Ｓ２６が行われる。この図柄に関する情報出力Ｓ２５，Ｓ２６は、図柄表示基板４４のサブＣＰＵ１０３から図示外の図柄検査装置へ出力されて、パチンコ機１の図柄停止の検査等に使用されるものであり、メインＣＰＵ１００が、特別図柄表示装置８の制御に使用するものではない。なお、図柄に関する情報出力Ｓ２５は「第３停止図柄Ｌ３の図柄番号及び図柄色」を示すデータであり、図柄に関する情報出力Ｓ２６は「通信エラー解除」を示すデータである。
【０１２７】
図柄に関する情報出力Ｓ２５では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ３９が送信され、次いで、アドレス／データ切換信号２０２がＬｏｗとなり、イネーブル信号２０３がＨｉｇｈになると、第３停止図柄Ｌ３の図柄番号及び図柄色を示すコマンドデータＤ３９が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２８】
次に、図柄に関する情報出力Ｓ２６では、まず、アドレス／データ切換信号２０２がＨｉｇｈとなり、図柄表示基板４４のサブＣＰＵ１０３から図示外の図柄検査装置に、周辺機器用Ｉ／Ｏコントローラ１１０を介して、アドレス指定データＡ４０が送信され、次いで、アドレス／データ切換信号２０２がＬｏｗとなり、イネーブル信号２０３がＨｉｇｈになると、通信エラー解除を示すコマンドデータＤ４０が送信される。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１２９】
次いで、電源投入時第３図柄指定コマンドＳ２７が図柄表示基板４４のサブＣＰＵ１０３からメインＣＰＵ１００に出力される。電源投入時第３図柄指定コマンドＳ２７では、まず、アドレス／データ切換信号２０２がＨｉｇｈとなり、図柄表示基板４４のサブＣＰＵ１０３からメインＣＰＵ１００にアドレス指定データＡ４１が送信され、次いで、アドレス／データ切換信号２０２がＬｏｗとなり、イネーブル信号２０３がＨｉｇｈになると、電源投入時第３図柄指定コマンドデータＤ４１がサブＣＰＵ１０３からメインＣＰＵ１００へ送られる。この電源投入時第３図柄指定コマンドデータＤ４１は、前記サブＣＰＵ１０３からメインＣＰＵ１００へ送られる「電源投入時第３停止図柄１指定」から「電源投入時第３停止図柄１２指定」の先行コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１３０】
次いで、アドレス／データ切換信号２０２がＨｉｇｈとなり、図柄表示基板４４のサブＣＰＵ１０３からメインＣＰＵ１００にアドレス指定データＡ４２が送信され、次いで、アドレス／データ切換信号２０２がＬｏｗとなり、イネーブル信号２０３がＨｉｇｈになると、電源投入時第３図柄指定コマンドデータＤ４２がサブＣＰＵ１０３からメインＣＰＵ１００へ送られる。この電源投入時第３図柄指定コマンドデータＤ４２は、「電源投入時第３停止図柄１指定」から「電源投入時第３停止図柄１２指定」の後続コマンドデータである。次いで、ＡＣＫ信号２０４はＨｉｇｈになり、メインＣＰＵ１００がコマンドデータの受信を開始し、メインＣＰＵ１００が当該コマンドデータを認識するとＡＣＫ信号２０４はＬｏｗとなる。
【０１３１】
以上説明したように、本実施の形態のパチンコ機１では、主基板４１から送信されて来る変動パターン指定コマンドデータ、停止図柄指定コマンドデータ、図柄停止コマンドデータ、通信エラーとなるコマンドデータ、通信エラー解除となるコマンドデータ、及び電源投入時（朝一）出目設定コマンドデータ等の各データコマンドを図柄表示基板４４に設けられたサブＣＰＵ１０３が受信して解析し、周辺機器用Ｉ／Ｏコントローラ１１０を介して、図柄に関する情報を図示外の図柄検査装置へ出力することができる。従って、図柄検査装置は、パチンコ機１の特別図柄表示装置８への図柄の表示状態を検査することが容易にできる。
【０１３２】
また、図柄表示基板４４に設けられたサブＣＰＵ１０３からは、メインＣＰＵ１００に対して、変動パターン指定コマンドデータ、第１停止図柄指定コマンドデータ、第２停止図柄指定コマンドデータ、第３停止図柄指定コマンドデータ、図柄停止コマンドデータ、電源投入時第１停止図柄指定コマンドデータ、電源投入時第２停止図柄指定コマンドデータ、電源投入時第３停止図柄指定コマンドデータ等を送信し、メインＣＰＵ１００がこれらのコマンドデータに基づいて、特別図柄表示装置８に各図柄の表示を行うことができる。
【０１３３】
また、本実施の形態のパチンコ機１では、主基板４１のＣＰＵ５１に８ビットのＣＰＵを用い、図柄表示基板４４のメインＣＰＵ１００にフロントサイドバスのクロックスピードが、６６ＭＨｚや１００ＭＨｚである高速の３２ビットのＣＰＵを用いても、サブＣＰＵ１０３を介しているので、メインＣＰＵ１００が描画処理動作等でＢＵＳＹの場合であっても、ＣＰＵ５１から送信される特別図柄表示装置８への図柄の変動や表示のコマンドをサブＣＰＵ１０３が受信するので、コマンドデータを確実に受信することができる。
【０１３４】
さらに、上記実施の形態のパチンコ機１では、通信エラーとなるコマンドデータが受信された場合には、特別図柄表示装置８の液晶１２１に「通信エラー」と直ちに表示されるので、遊技者に通信エラーが発生したことを報知することができる。また、通信エラー状態が解消する通信エラー解除となるコマンドデータを受信した場合には、自動的に特別図柄表示装置８の液晶１２１の表示を正常な表示に戻すことができるので、通信エラー状態が解消したときには、特別な回復操作をすること無しに、前記特別図柄表示装置８の表示を正常な状態に戻すことができる。
【０１３５】
なお、上記の実施の形態では、主基板４１のＣＰＵ５１から各種コマンドデータを受信する図柄表示基板４４のサブＣＰＵ１０３は、受信したコマンドデータを一旦サブＲＡＭ１０４に記憶し、このサブＲＡＭ１０４に記憶されたコマンドデータを解釈して、周辺機器用Ｉ／Ｏコントローラ１１０を介して図示外の図柄検査装置に検査用の図柄に関する情報を出力し、メインＣＰＵ１００には、サブＲＡＭ１０４に記憶されたコマンドデータの先行コマンドデータと後続コマンドデータとをそのまま送信するようにしているが、サブＲＡＭ１０４に記憶されたコマンドデータを加工してメインＣＰＵ１００に送信するようにしても良い。また、本発明は、パチンコ機に限らず、パチコン機、パチスロ機等に用いることはいうまでもない。
【図面の簡単な説明】
【０１３６】
【図１】図１はパチンコ機１の正面図である。
【図２】図２はパチンコ機１の遊技盤２の正面図である。
【図３】図３は、特別図柄表示装置８の正面図である。
【図４】図４は、パチンコ機１の背面図である。
【図５】図５は、パチンコ機１の電気的回路構成を示すブロック図である
【図６】図６は、図柄表示基板４４の構造及び図柄表示基板４４と主基板４１及び特別図柄表示装置８との接続関係を示すブロック図である。
【図７】図７は、図柄表示基板４４の構成の詳細を示すブロック図である
【図８】図８は、特別図柄表示装置８が画面の表示を変動させる変動開始時の各信号のタイミングチャートである。
【図９】図９は、特別図柄表示装置８の画面の変動停止時の各信号のタイミングチャートである。
【図１０】図１０は、通信エラー発生／解除時の各信号のタイミングチャートである。
【図１１】図１１は、電源投入時（朝一）出目設定時の各信号のタイミングチャートである。
【図１２】図１２は、通信エラー表示を行っている特別図柄表示装置８の正面図である。
【符号の説明】
【０１３７】
１      パチンコ機
２      遊技盤
４      遊技領域
８      特別図柄表示装置
４０      制御部
４１      主基板
４３      音基板
４４      図柄表示基板
４５      払出制御基板
４６      電飾基板
５０      ＣＰＵユニット
５１      ＣＰＵ
５２      ＲＡＭ
５３      ＲＯＭ
５４      Ｉ／Ｏインターフェース
１００    メインＣＰＵ
１０１    メインＲＡＭ
１０２    メインＲＯＭ
１０３    サブＣＰＵ
１０４    サブＲＡＭ
１０５    サブＲＯＭ
【図１】
2004249131.tif 000003
【図２】
2004249131.tif 000004
【図３】
2004249131.tif 000005
【図４】
2004249131.tif 000006
【図５】
2004249131.tif 000007
【図６】
2004249131.tif 000008
【図７】
2004249131.tif 000009
【図８】
2004249131.tif 000010
【図９】
2004249131.tif 000011
【図１０】
2004249131.tif 000012
【図１１】
2004249131.tif 000013
【図１２】
2004249131.tif 000014